(57)【要約】【課題】  クレジットカードがなくとも、店舗において安心してクレジットカードを利用させることができる生体認証端末を用いたカード決済システムを得る。【解決手段】  携帯電話機３０によって生体認証端末電話番号Ａｉで電話をかけると認証サービスセンターＱｉのサーバ２００からセンター側登録済甲認証用特性情報ＲＨｊｉを生体認証端末１００に送信する。そして、生体認証端末１００側では、これを用いて認証し、この結果を携帯型生体認証端末取付台３５の裏側の液晶モニタに表示させて店舗側に本人かどうかを知らせる。そして、認証サービスセンターＱｉのサーバ２００がクレジット会社からのクレジットカード番号情報Ｃｊｉを二次元バーコードデータに変換し、これをメールサーバ４２０によって携帯電話機３０に送信する。【選択図】図１
2014174707.tif 000002
【特許請求の範囲】
【請求項１】
二次元バーコードリーダ及び暗証番号入力端末に接続されたカード決済端末及び店舗の店員の店員コードを入力させるための店員コード入力手段ならびに生体認証端末付き取付台とから構成された店舗側端末装置と、認証・カード番号提供センターのサーバと、携帯電話機とを通信ネットワークに接続し、前記認証・カード番号提供センターのサーバが生体認証端末の認証結果で前記携帯電話機にクレジットカード番号を送信する生体認証端末を用いたカード決済システムであって、
前記認証・カード番号提供センターは、
前記生体認証端末に付与した生体認証端末電話番号が設定された交換機を備え、
前記サーバは、
会員毎に、この会員の特定部位の生体特性情報及び前記会員の携帯電話機の携帯電話機電話番号を関連付け、これらをセンター側登録済生体特性情報とし、これに前記会員の携帯電話機のメールアドレスを関連付けた会員生体情報を記憶した第１の記憶手段と、
前記携帯電話機電話番号とクレジットカード番号と利用可能金額と利用可能期間と暗証番号とを含むカード会員情報を記憶した第２の記憶手段と、
（Ａ）．前記交換機が受信した着呼情報に含まれている前記携帯電話機電話番号を有する前記会員生体情報を前記第１の記憶手段から検索し、この会員生体情報に関連する前記センター側登録済生体特性情報に前記着呼情報を付加して前記生体認証端末に送信する手段と、
（Ｂ）．前記生体認証端末から利用者の特定部位の生体情報の認証判定情報を受信する手段と、
（Ｃ）．この認証判定情報に含まれている前記携帯電話機電話番号を有する前記カード会員情報を前記第２の記憶手段から検索する手段と、
（Ｄ）．該検索されたカード会員情報のクレジットカード番を二次元バーコードデータに変換する手段と、
（Ｅ）．前記検索された会員生体情報に含まれている前記メールアドレスで前記二次元バーコードデータを前記携帯電話機に送信する手段と、
（Ｆ）．前記カード決済端末からのカード決済要求情報を受信し、このカード決済要求情報に含まれている暗証番号と前記カード会員情報に含まれている暗証番号とが一致するかどうかを判断する手段と、
（Ｇ）．この判断結果が一致を示している場合は、仮利用可能と判断して前記店員コードを入力させるためのメッセージを前記店舗側端末装置に送信する手段と、
（Ｈ）．前記メッセージの送信後に、前記店舗側端末装置から前記店員コードを含む店員確認情報を受信する手段と、
（Ｉ）．前記店員確認情報の受信に伴って、前記カード決済要求情報に含まれているカード番号、利用金額、利用日時と前記第２の記憶手段に記憶されている前記カード会員情報のクレジットカード番号と利用可能金額と利用可能期間とを比較して本認証し、このカード認証結果を前記カード決済端末に送信する手段とを備え、
前記店舗側端末装置の生体認証端末付き取付台は、
前面に前記生体認証端末を備え、後面に店員用の表示部を備え、さらに、
前記生体認証端末からの認証判定情報に含まれている認証結果、前記サーバからの前記メッセージ及び前記店員コード入力手段からの店員コードを前記表示部に表示する手段と、
前店員コードに前記認証判定情報及び日時を付加し、これを前記店員確認情報として前記サーバに送信する手段と
を有することを特徴とする生体認証端末を用いたカード決済システム。
【請求項２】
前記生体認証端末は、
第３の記憶手段を備え、さらに、
前記センター側登録済生体特性情報を前記サーバから受信して前記第３の記憶手段に記憶する手段と、
前記利用者の特定部位の生体特性情報を光学的に読み込んで、この生体特性情報と前記第３の記憶手段に記憶された前記センター側登録済生体特性情報とを比較して認証する手段と、
この認証結果に該センター側登録済生体特性情報に含まれている前記携帯電話機電話番号と予め設定されている生体認証端末電話番号とを付加した前記認証判定情報を前記サーバに送信する手段と
を有することを特徴とする請求項１記載の生体認証端末を用いたカード決済システム。
【請求項３】
前記サーバは、
カード決済情報が記憶される第４の記憶手段と、
前記カード決済端末からのカード決済情報を受信し、前記第４の記憶手段に記憶する手段と
を備え、
前記二次元バーコードリーダは、
前記携帯電話機の画面の二次元バーコードを光学的に読み込んで、この二次元バーコードデータを解読し、この解読した前記クレジットカード番号を前記カード決済端末に出力する手段を備え、
前記カード決済端末は、
前記二次元バーコードリーダからの前記クレジットカード番号と前記利用者によって前記暗証番号入力端末に入力された暗証番号と操作キーからの前記店員に入力された利用金額と利用日時とを前記カード決済要求情報として前記サーバに送信する手段と、
前記サーバからの前記カード認証結果がカード利用可能を示している場合は、前記利用金額と利用日時と予め設定されている店舗名とを印字した明細書を送出する手段と
を有することを特徴とする請求項１又は２記載の生体認証端末を用いたカード決済システム。
【請求項４】
前記店員コード入力手段は、
店員が携帯している店員証に印字されている一次元バーコードを読み取る一次元バーコードリーダであることを特徴とする請求項１乃至３のいずれかに記載の生体認証端末を用いたカード決済システム。
【請求項５】
前記サーバは、
前記二次元バーコードデータの送信情報に一定時間後にこの二次元バーコードデータを削除させるコマンドを付加して送信する手段と
を有することを特徴とする請求項１乃至４のいずれかに記載の生体認証端末を用いたカード決済システム。
【請求項６】
前記生体認証端末は、
正面に前記利用者の顔を撮影可能とする顔撮影用カメラを備え、
前記利用者の特定部位の生体特性情報の読み込みに伴って前記顔撮影用カメラで前記顔を撮影させる手段と、
前記撮影された顔画像を前記認証判定情報に付加した生体認証結果情報を前記サーバに送信する手段と
を備え、
前記サーバは、
顔画像登録用記憶手段を備え、
前記生体認証端末からの前記生体認証結果情報を受信する毎に、この前記生体認証結果情報に含まれている携帯電話機電話番号、生体認証端末電話番号及び顔画像を前記顔画像登録用記憶手段に記憶する手段と
を有することを特徴とする請求項１乃至５のいずれかに記載の生体認証端末を用いたカード決済システム。
【請求項７】
前記サーバの第１の記憶手段に記憶されているセンター側登録済生体特性情報は、
前記会員が安定ハンドルの２本の軸に中指を挿入して予め撮影して得た手の甲の静脈の分岐点を繋げた基準多角形を含む静脈パターン特性データ（ＶＰＢＣｉ）と、前記利用者が前記安定ハンドルの２本の軸に中指を挿入して予め撮影して得た中指と薬指との湾曲部分である第１の基準境界線と、中指と人差し指との湾曲部分である第２の基準境界線とを含む指部境界基準情報からなり、
前記生体認証端末は、
水平軸棒の中央部に２本の軸を立てた前記安定ハンドルに、中指を前記２本の軸の間に挿入させて、中指、人差し指、薬指と手の甲との接続領域である湾曲領域を撮影して得た指部デジタル画像ならびに前記手の甲を撮影した甲部デジタル画像を取得する甲認証用端末であり、
前記サーバは、
一時記憶メモリと、
前記指部デジタル画像と前記甲部デジタル画像とを前記一時記憶メモリに記憶する撮影画像保存部と、
前記一時記憶メモリに記憶された前記甲部デジタル画像の内で、認証に必要な静脈パターンの部分をＲＯＩ画像データとして抽出し、太い静脈パターン（Ｓｐｉ）及び細い静脈パターン（ＺＰｉ）を抽出して合成し、この静脈合成パターン（Ｇｐｉ）を２値化してノイズ除去した静脈パターン（Ｖｐｉ）を生成するＲＯＩ画像抽出部とを備え、
さらに、位置補正部及び静脈パターンマッチング部を備え、
前記位置補正部は、
前記指部デジタル画像の内で、第１の湾曲領域と第２の湾曲領域とを指部境界画像として抽出する手段と、
前記指部境界画像の前記第１の湾曲領域に対して、スケルトン処理を施して、中指側と薬指側とのエッジ部分である第１の境界線ならびに中指と人差し指とのエッジ部分である第２の境界線を求める手段と、
前記第１の境界線に含まれている交点と前記第２の境界線に含まれている交点とを結ぶ第１の直線と、前記第１の基準境界線に含まれている基準交点と前記第２の基準境界線に含まれている基準交点とを結ぶ第２の直線との相対角度である第１の相対角度を求め、これを第１の補正角度とする手段と、
前記指部境界画像に含まれている前記第１の境界線の開度と前記指部境界基準情報に含まれている前記第１の基準境界線の基準開度との相対的角度を第２の相対的角度として求めると共に、前記指部境界画像に含まれている前記第２の境界線の開度と前記指部境界基準情報に含まれている前記第２の基準境界線の基準開度との相対的角度を第３の相対角度として求め、この第２の相対角度と第３の相対角度との平均を第２の補正角度とする手段と、
前記第１の補正角度で前記静脈パターン（Ｖｐｉ）を補正して、さらに前記第２の補正角度で補正した静脈パターン補正画像（ｍＶｐｉ）を生成する手段とを備え、
前記静脈パターンマッチング部は、
前記静脈パターン補正画像（ｍＶｐｉ）の各分岐点を求め、これらの分岐点を結んだ多角形を生成し、該多角形と前記静脈パターン特性データ（ＶＰＢＣ）の基準多角形と比較して一致の有無を判定する手段と、
この判定結果を前記前記手の甲認証端末の表示器に表示させる手段と
を有することを特徴とする請求項１乃至６のいずれかに記載の生体認証端末を用いたカード決済システム。
【請求項８】
前記認証・カード番号提供センターは、
前記生体認証端末及び前記生体認証端末付き取付台にインターネット網で接続され、かつ携帯電話網ならびにクレジット専用回線網に接続された認証サービスセンターのサーバと、このクレジット専用回線網に接続されたクレジット会社のサーバとで構成され、
前記認証サービスセンターは、
前記交換機を備え、
この認証サービスセンターのサーバは、
前記第１の記憶手段と、
前記（Ａ）の手段と、前記（Ｂ）の手段と、前記（Ｄ）の手段と、前記（Ｅ）の手段と、前記（Ｇ）の手段と、前記（Ｈ）の手段とを有し、
前記クレジット会社のサーバは、
前記第２の記憶手段と、
前記（Ｃ）の手段と、前記（Ｆ）の手段と、前記（Ｉ）の手段と
を有し、
前記認証サービスセンターのサーバの、
前記（Ａ）の手段は、前記センター側登録済生体特性情報を前記インターネット網によって前記生体認証端末に送信し、
前記（Ｂ）の手段は、前記店舗側端末装置からの前記認証判定情報を前記インターネット網によって受信して、該認証判定情報が本人であることを示している場合は、前記クレジット専用回線網を介して本人確認したことを知らせ、
前記（Ｅ）の手段は、前記二次元バーコードデータを前記携帯電話網によって前記携帯電話機に送信し、
前記（Ｇ）の手段は、前記一致の判断結果を前記クレジット専用回線網によって受信し、前記メッセージは前記インターネット網によって前記店舗側端末装置に送信し、
前記（Ｈ）の手段は、前記店舗側端末装置からの前記店員確認情報を前記インターネット網によって受信し、これを受信したことを示す通知を前記クレジット専用回線網によって前記クレジット会社のサーバに送信し、
前記クレジット会社のサーバの、
前記（Ｆ）の手段は、前記カード決済端末からの前記カード決済要求情報を前記クレジット専用回線網によって受信し、前記一致の判断結果を前記クレジット専用回線網によって前記認証サービスセンターのサーバに送信し、
前記（Ｉ）の手段は、
前記店員確認情報の受信の通知を前記クレジット専用回線網によって受信し、前記カード認証結果を前記クレジット専用回線網によって前記カード決済端末に送信することを特徴とする請求項１記載の生体認証端末を用いたカード決済システム。
【請求項９】
前記クレジット会社のサーバは、クレジット会社毎に設けられ、
前記認証サービスセンターのサーバは、
前記交換機が前記着呼情報を受信した場合は、該着呼情報に含まれている携帯電話機電話番号あてに、クレジット会社名Ｃｎｉを入力させるメッセージを前記携帯電話網によって送信する手段と
を有することを特徴とする請求項８記載の生体認証端末を用いたカード決済システム。
【請求項１０】
二次元バーコードリーダ及び暗証番号入力端末に接続されたカード決済端末及び店舗の店員の店員コードを入力させるための店員コード入力手段並びに生体認証端末付き取付台とから構成された店舗側端末装置と、携帯電話機とに通信ネットワークを介して接続される認証・カード番号提供センターのサーバであって、
前記認証・カード番号提供センターは、
生体認証端末に付与した生体認証端末電話番号が設定された交換機を備え、
前記サーバは、
会員毎に、この会員の特定部位の生体特性情報及び前記会員の携帯電話機の携帯電話機電話番号を関連付け、これらをセンター側登録済生体特性情報とし、これに前記会員の携帯電話機のメールアドレスを関連付けた会員生体情報を記憶した第１の記憶手段と、
前記携帯電話機電話番号とクレジットカード番号と利用可能金額と利用可能期間と暗証番号とを含むカード会員情報を記憶した第２の記憶手段と、
（Ａ）．前記交換機が受信した着呼情報に含まれている前記携帯電話機電話番号を有する前記会員生体情報を前記第１の記憶手段から検索し、この会員生体情報に関連する前記センター側登録済生体特性情報に前記着呼情報を付加して前記生体認証端末に送信する手段と、
（Ｂ）．生体認証端末から利用者の特定部位の生体情報の認証判定情報を受信する手段と、
（Ｃ）．この認証判定情報に含まれている前記携帯電話機電話番号を有する前記カード会員情報を前記第２の記憶手段から検索する手段と、
（Ｄ）．該検索されたカード会員情報のクレジットカード番を二次元バーコードデータに変換する手段と、
（Ｅ）．前記検索された会員生体情報に含まれている前記メールアドレスで前記二次元バーコードデータを前記携帯電話機に送信する手段と、
（Ｆ）．前記カード決済端末からのカード決済要求情報を受信し、このカード決済要求情報に含まれている暗証番号と前記カード会員情報に含まれている暗証番号とが一致するかどうかを判断する手段と、
（Ｇ）．この判断結果が一致を示している場合は、仮利用可能と判断して前記店員コードを入力させるためのメッセージを前記店舗側端末装置に送信する手段と、
（Ｈ）．前記メッセージの送信後に、前記店舗側端末装置から前記店員コードを含む店員確認情報を受信する手段と、
（Ｉ）．前記店員確認情報の受信に伴って、前記カード決済要求情報に含まれているカード番号、利用金額、利用日時と前記第２の記憶手段に記憶されている前記カード会員情報のクレジットカード番号と利用可能金額と利用可能期間とを比較して本認証し、このカード認証結果を前記カード決済端末に送信する手段と
を有することを特徴とする認証・カード番号提供センターのサーバ。
【発明の詳細な説明】
【技術分野】
【０００１】
本発明は、利用者はクレジットカードがなくともカード決済ができると共に店員が安心してカード決済と同様に商品を販売することができる生体認証端末を用いたカード決済システムに関する。
【背景技術】
【０００２】
近年は、店舗において商品を購入する場合に、現金に替えてクレジットカード又はデビットカード或いはプリペイドカード等で決済することが多い。
【０００３】
一般に、クレジットカードを用いた従来のカード決済システムは、店舗に設けたカードリーダと、クレジット会社のサーバとを専用回線で接続している。
【０００４】
そして、クレジットカードを有するユーザが店舗で商品をクレジットカードで購入する場合は、店員がクレジットカードを受け取って、金額を入力した後でカードリーダによってクレジットカード番号等を読み取らせる。
【０００５】
このクレジットカード番号情報をカードリーダがクレジット会社のサーバに送信して認証させる。そして、この認証結果をカードリーダが受信し、認証結果が利用許可を示している場合に、領収書を発行するのが一般的である。
【０００６】
従って、クレジットカードを第３者が入手した場合は、容易にカード決済ができてしまう。
【０００７】
また、金額の他に専用端末で暗証番号を入力させてクレジットカード番号と組み合わせてクレジット会社のサーバに送信して決済するものもある。
【０００８】
しかし、第３者がクレジットカードと暗証番号とを入手した場合は、容易にカード決済ができてしまう。
【０００９】
一方、クレジットカードを忘れた場合は、その店舗において商品を購入することができない。
【００１０】
このようなことを解決するものとしてカードを利用しないで決済を可能とする以下の特許文献が開示されている。
【００１１】
特許文献１は、網膜認証装置で認証してパスワード（識別符号と記載している）を入力することでカードを用いなくとも決済して、要求された出玉数の払い出しを可能とするものである。
【００１２】
また、特許文献２には、移動電話機１を用いて発信者電話番号通知でコンピュータシステム４に電話をかけて、この発信者電話番号がコンピュータシステム４に登録されている場合に、さらにパスワードを入力してこの発信者電話番号で信販会社から与信を受けることが開示されている。
【００１３】
一方、カードを用いなで認証するシステムとして、特許文献３が開示されている。特許文献３は、生体認証端末と生体認証センターのサーバとをインターネット網に接続した生体認証システムにおいて、生体認証端末にこの生体認証端末の電話番号を液晶画面に表示する。そして、携帯電話機を用いてこの電話番号宛に電話番号通知で電話をかけさせると、生体認証センターのサーバが受信し、予め登録されている携帯電話機の持ち主を携帯電話機の電話番号で特定して、この特定した生体特性情報を生体認証端末に送信して生体認証を可能とするものである。
【先行技術文献】
【特許文献】
【００１４】
【特許文献１】特開平９−３３０４５３号公報
【特許文献２】特開２０００−５９５１６号公報
【特許文献３】特開２０１１−２１５９４０号公報
【発明の概要】
【発明が解決しようとする課題】
【００１５】
従来のカード決済システムは、本人以外の第三者がクレジットカードを使用しても利用可能となる。
【００１６】
第三者によるクレジットカードの利用があった場合は、本当の所有者がその店舗でクレジットカードを使用していないということを後日、クレジット会社に通報して、その店に対してクレジット会社から返金要求又はクレジット会社が保険を適用してその損害金額を補うのが通例である。
【００１７】
つまり、従来のカード決済システムは、第三者がクレジットカードを不正に利用した場合は、店舗側、クレジット会社、保険会社に負担がかかることになる。
【００１８】
一方、従来のカード決済システムは、カードを忘れた場合は、その店舗でショッピングをすることができない。
【００１９】
さらに、クレジットカード自体が不良となっている場合は、定員がクレジットカードのカード番号を手入力で打ち込むことになるから誤記入力が発生する。
【００２０】
一方、特許文献1、特許文献２及び特許文献３はカードを用いなくとも端末側で本人認証を可能とするものであるが、本人認証ができたとしてもカード会社からカード番号を知らせるものではない。
【００２１】
特許文献１は、７０％の照合率で本人と認証しているのでクレジットカードの認証については不向きである。また、特許文献１はパスワードが必要であるからパスワードを忘れた場合には、出玉の払い出しを決済することができない。
【００２２】
また、特許文献２においてもパスワードが必要であるからパスワードを忘れた場合は、信販会社からの与信を得ることができない。
【００２３】
一方、特許文献３は、携帯電話機を用いるものであるからパスワードは不要である。そして、特許文献３は生体認証センターのサーバに携帯電話機で生体認証端末の電話番号で電話をかけると、その携帯電話機の電話番号と静脈パターンとが登録されておれば、その生体認証端末に送信するので、認証率の精度が高ければその生体認証端末によって店舗側でも本人と確認できる。
【００２４】
従って、携帯電話機を用いた認証率が高い認証システムをカード決済システムに組み合わせたシステムとすることが望ましい。
【００２５】
本発明は、以上の課題を鑑みてなされたもので、クレジットカードがなくとも店舗において利用者が本人であるかを確実に認証してカード決済させることができる生体認証端末を用いたカード決済システムを得ることを目的とする。
【課題を解決するための手段】
【００２６】
本発明は、二次元バーコードリーダ及び暗証番号入力端末に接続されたカード決済端末及び店舗の店員の店員コードを入力させるための店員コード入力手段並びに生体認証端末付き取付台とから構成された店舗側端末装置と、認証・カード番号提供センターのサーバと、携帯電話機とを通信ネットワークに接続し、前記認証・カード番号提供センターのサーバが生体認証端末の認証結果で前記携帯電話機にクレジットカード番号を送信する生体認証端末を用いたカード決済システムである。
【００２７】
前記認証・カード番号提供センターは、
前記生体認証端末に付与した生体認証端末電話番号が設定された交換機を備え、
前記サーバは、
前記会員毎に、該会員の特定部位の生体特性情報及び前記会員の携帯電話機の携帯電話機電話番号を関連付け、これらをセンター側登録済生体特性情報とし、これに前記会員の携帯電話機のメールアドレスを関連付けた会員生体情報を記憶した第１の記憶手段と、
前記携帯電話機電話番号とクレジットカード番号と利用可能金額と利用可能期間と暗証番号とを含むカード会員情報を記憶した第２の記憶手段と、
（Ａ）．前記交換機が受信した着呼情報に含まれている前記携帯電話機電話番号を有する前記会員生体情報を前記第１の記憶手段から検索し、この会員生体情報に関連する前記センター側登録済生体特性情報に前記着呼情報を付加して前記生体認証端末に送信する手段と、
（Ｂ）．前記生体認証端末から利用者の特定部位の生体情報の認証判定情報を受信する手段と、
（Ｃ）．この認証判定情報に含まれている前記携帯電話機電話番号を有する前記カード会員情報を前記第２の記憶手段から検索する手段と、
（Ｄ）．該検索されたカード会員情報のクレジットカード番を二次元バーコードデータに変換する手段と、
（Ｅ）．前記検索された会員生体情報に含まれている前記メールアドレスで前記二次元バーコードデータを前記携帯電話機に送信する手段と、
（Ｆ）．前記カード決済端末からのカード決済要求情報を受信し、このカード決済要求情報に含まれている暗証番号と前記カード会員情報に含まれている暗証番号とが一致するかどうかを判断する手段と、
（Ｇ）．この判断結果が一致を示している場合は、仮利用可能と判断して前記店員コードを入力させるためのメッセージを前記店舗側端末装置に送信する手段と、
（Ｈ）．前記メッセージの送信後に、前記店舗側端末装置から前記店員コードを含む店員確認情報を受信する手段と、
（Ｉ）．前記店員確認情報の受信に伴って、前記カード決済要求情報に含まれているカード番号、利用金額、利用日時と前記第２の記憶手段に記憶されている前記カード会員情報のクレジットカード番号と利用可能金額と利用可能期間とを比較して本認証し、このカード認証結果を前記カード決済端末に送信する手段とを備え、
前記店舗側端末装置の生体認証端末付き取付台は、
前面に前記生体認証端末を備え、後面に店員用の表示部を備え、さらに、
前記生体認証端末からの認証判定情報に含まれている認証結果、前記サーバからの前記メッセージ及び前記店員コード入力手段からの店員コードを前記表示部に表示する手段と、
前店員コードに前記認証判定情報及び日時を付加し、これを前記店員確認情報として前記サーバに送信する手段と
を備えたことを要旨とする。
【発明の効果】
【００２８】
以上のように本発明によれば、店舗に設けた生体認証端末の生体認証端末電話番号で携帯電話機から電話をかけると、認証・カード番号提供センターからこの携帯電話機の持ち主の生体特性情報をその生体認証端末に送信して生体認証させる。
【００２９】
そして、認証・カード番号提供センターが生体認証端末からの認証結果が本人であることを示している場合に、クレジット会社にその携帯電話機の持ち主のクレジットカード番号をカード会社から返信させて、これを二次元バーコードに変換して携帯電話機に送信し、カード決済端末から利用料金、暗証番号を含むカード決済要求情報を受信する。
【００３０】
そして、カード決済要求情報の暗証番号が予め記憶されているカード会員情報の暗証番号に一致している場合は、仮利用可能としてこれを店舗側端末装置に送信して店員コードを送信させる。そして、この店員コードの入力に伴って、本認証し、この結果をカード決済端末に送信する。
【００３１】
このため、店舗側では生体認証端末での本人確認と、かつセンター側での暗証番号の認証結果との両方を確認できるので、安心して利用者を店舗側で本人と確認したことを示す店員コードｔｋｉを入力することができる。
【００３２】
また、認証結果が本人である場合は、店員名を入力させた後にカード番号を携帯電話機に送信させるようにしているので、どの店員がクレジットの利用を許可したかが分かる。
【００３３】
このため、後日、何らかの事情でクレジットの利用を許可した店員を知ることが必要な場合は、直ぐにどの店員であるのかを認証サービスセンター側で分かるので、例えば、利用者に対して請求誤りがあった場合はその店員を直ぐに特定できる。
【００３４】
さらに、本サービスを利用した場合は、サービス利用時の店員名を知ることができるので、個人別の売り上げ管理用としてこのデータを店側に提供できる。
【００３５】
さらに、本サービスを利用した場合は、利用者の顔画像及び店員名が認証サービスセンターに登録されることになるから、後日何らかの事情で利用者を確認する場合は、この店員によって直ぐに確認させることができる。
【図面の簡単な説明】
【００３６】
【図１】本実施の形態の生体認証端末を用いたカード決済システムの概略構成図である。
【図２】店舗側端末装置７０の斜視図及び背面図である。
【図３】携帯型生体認証端末取付台３５の概略構成図である。
【図４】生体認証端末１００の斜視図である。
【図５】生体認証端末１００の正面図である。
【図６】生体認証端末１００の断面側面図である。
【図７】指甲接続部分Ｌｉを説明する説明図である。
【図８】顔判定用領域Ａｇｉの説明図である。
【図９】生体認証端末の詳細構成図である。
【図１０】指甲接続部分画像ＬＨｉから求めた指甲接続部分境界線情報ＡＮｉを説明する説明図である。
【図１１】ＲＯＩ画像Ｈｒｉ、静脈パターンＶＰｉ、静脈パターン特性データＶＰＢＣｉを説明する説明図である。
【図１２】静脈パターンマッチング部１３８の処理を説明する説明図である。
【図１３】認証サービスセンターＱｉの詳細構成図である。
【図１４】会員情報用データベース２４０、顔画像用メモリ２４２、生体認証端末情報用データベース２５２、顔画像用メモリ２４２、課金情報用テーブル２５６を説明する説明図である。
【図１５】センター側登録済甲部取得関連情報ＲＳｊｉを説明する説明図である。
【図１６】履歴情報用テーブル２４６を説明する説明図である。
【図１７】カード番号要求用テーブル４３０を説明する説明図である。
【図１８】本実施の形態の生体認証端末を用いたカード決済システム認証システムのシーケンス図である。
【図１９】本実施の形態の生体認証端末を用いたカード決済システム認証システムのシーケンス図である。
【図２０】本実施の形態の生体認証端末を用いたカード決済システム認証システムのシーケンス図である。
【図２１】会員認証処理を説明するフローチャートである。
【図２２】生体認証端末１００に手の甲を撮影させるまでの過程を説明する説明図である。
【図２３】甲部の認証処理を説明するフローチャートである。
【図２４】位置補正値算出部の処理を説明する説明図である。
【図２５】カード番号要求処理、カード番号転送処理を説明するフローチャートである。
【図２６】携帯型生体認証端末取付台３５の処理を説明するフローチャートである。
【発明を実施するための形態】
【００３７】
本実施の形態では、生体情報は指紋、手のひらの静脈又は顔若しくは手の甲の静脈を認証する生体認証端末でもかまわない。なお、本実施の形態では手の甲の静脈を認証する生体認証端末を用いた例として説明する。
【００３８】
図１は本実施の形態の生体認証端末を用いたカード決済システムの概略構成図である。
【００３９】
図１に示すように、実施の形態の生体認証端末を用いたカード決済システムは、店舗Ｆｉ（Ｆｉ：Ｆａ、Ｆｂ・・）に設けられた店舗側端末装置７０と、認証サービスセンターＱｉのサーバ２００とをインターネット網２０（生体認証端末網ともいう）で接続する。
【００４０】
また、携帯電話機３０（３０ａ、３０ｂ・・）に接続される携帯電話網４０に接続する。さらにクレジット会社Ｐｉ（Ｐａ、Ｐｂ・・）に接続されたクレジット会社用専用回線５０に接続されたクレジット会社機構の配信サーバ８０に接続して構成する。このクレジット会社機構の配信サーバ８０は、複数のクレジット会社Ｐｉのサーバに接続され、後述するカード決済端末からの情報を該当のクレジット会社Ｐｉのサーバに配信し、クレジット会社Ｐｉのサーバからの情報を該当のカード決済端末に送信する。
【００４１】
なお、認証サービスセンターＱｉは、地域毎に設けてもかまわない。
【００４２】
また、クレジット会社Ｐｉは、各々がサーバ（図示せず）を備えている。クレジット会社用専用回線５０と、クレジット会社の配信機構の配信サーバ８０とを総称して本実施の形態ではクレジット専用回線網ともいう。
【００４３】
また、インターネット網２０、携帯電話網４０、クレジット会社専用回線網を総称して通信ネットワークと称する。
【００４４】
前述の認証サービスセンターＱｉのサーバ２００は、クレジット会社Ｐｉ又はクレジット会社機構に設けてもよいし、これらをまとめて認証・カード番号提供センターのサーバとしてもかまわない。
【００４５】
また、店舗Ｆｉに設けられた店舗側端末装置７０は、生体認証端末１００と、カードリーダ１０（クレジットカード認証端末ともいう）と、携帯型生体認証端末取付台３５と、店員が携帯している店員カードＴＧｉの店員コードｔｋｉ（一次元バーコード）を読み取る一次元バーコードリーダ４５等から構成されている。この店舗側端末装置７０の構成について図を用いて後述する。
【００４６】
さらに、生体認証端末１００には、認証サービスセンターＱｉから割付けられた電話番号（以下生体認証端末電話番号Ａｉ）が表示されている（ラベルで貼り付けてもよい）。
【００４７】
一方、認証サービスセンターＱｉのサーバ２００は、図１に示すように、会員認証部２０８と、会員情報用データベース２４０と、生体認証情報送信部２１４と、履歴情報用テーブル２４６と、生体情報登録用データベース２５０と、生体認証端末１００のＩＰアドレスを記憶した生体認証端末情報用データベース２５２と、生体認証結果受信部２３０と、課金処理部２３２と、回線接続切替部２１２と、カード番号要求部４００と、カード番号転送部４１０と、メールサーバ４２０と、店員コード入力促進部４１５等を備えている。
【００４８】
このような構成によって、生体認証端末を用いたカード決済システムは、携帯電話機によるクレジット決済モード及び携帯電話機によるクレジットサービス認証情報登録モードを可能にしている。
【００４９】
携帯電話機によるクレジット決済モードは、携帯電話機３０によって番号通知で、生体認証端末電話番号Ａｉで電話をかけると、認証サービスセンターＱｉのサーバ２００の会員認証部２０８は、携帯電話機３０の電話番号（以下携帯電話機電話番号Ｂｉという）が登録されている場合に会員と認証する。
【００５０】
そして、会員であると認証された場合は、生体認証情報送信部２１４が生体認証端末情報用データベース２５２に保存されている生体認証端末１００のＩＰアドレス宛で生体情報登録用データベース２５０の後述するセンター側登録済甲部取得関連情報ＲＭｊｉに含まれているセンター側登録済甲認証用特性情報ＲＨｊｉ（Ａｉ、Ｂｉを含む）を生体認証端末１００に送信する。
【００５１】
一方、生体認証端末１００側では、実際に取得した手の甲の端末側甲部取得関連情報ＴＥｊｉに含まれている端末側取得甲認証特性情報ＴＳｊｉとセンター側登録済甲認証用特性情報ＲＨｊｉとの比較で本人認証を行い、この結果を携帯型生体認証端末取付台３５の裏側の液晶モニタに表示させて店舗側に本人かどうかを知らせる。
【００５２】
そして、生体認証端末１００がセンター側登録済甲認証用特性情報ＲＨｊｉに含まれている携帯電話機電話番号Ｂｉ、生体認証端末電話番号Ａｉ及び認証結果Ｍｉを読み込み、認証結果Ｍｉと顔画像Ｇａｉとを組み合わせた生体認証結果情報Ｎｊｉを認証サービスセンターＱｉのサーバ２００に送信する。
【００５３】
認証サービスセンターＱｉのサーバ２００の生体認証結果受信部２３が生体認証端末１００から生体認証結果情報Ｎｊｉ（Ａｉ、Ｂｉ、ＳＴｉ、Ｇａｉ）を受信して履歴情報用テーブル２４６に記憶する。
【００５４】
なお、顔画像Ｇａｉは後述する顔画像用メモリ２４２に記憶される。
【００５５】
次に、カード番号要求部４００が、生体認証結果情報Ｎｊｉに含まれている認証結果Ｍｉが利用許可を示している場合は、携帯電話機電話番号Ｂｉあてでクレジット会社名Ｃｎｉを指定させるメッセージを送信させる。
【００５６】
そして、このクレジット会社名Ｃｎｉを読み込み、受付番号ＵＢｉを発行してこのクレジット会社のサーバからの携帯電話機電話番号Ｂｉに対応するクレジットカード番号情報Ｃｊｉ（カード番号Ｃｋｉ、携帯電話機電話番号Ｂｉ、受付番号ＵＢｉを含む）を送信させて携帯電話網４０との回線を切断する。
【００５７】
また、カード番号転送部４１０がこのクレジットカード番号情報Ｃｊｉ（Ｃｋｉ、Ｂｉ、ＵＢｉ）のカード番号Ｃｋｉを二次元バーコードデータに変換し、これをメールサーバ４２０によって携帯電話機３０に送信する。
【００５８】
また、課金処理部２３２が一定期間（例えば２０日）毎に後述するカード番号要求情報を参照して認証サービスを利用した携帯電話機３０の会員のクレジット会社Ｐｉに利用料金を請求する。
【００５９】
一方、店舗側端末装置７０側では、二次元バーコードリーダ１５で携帯電話機３０の画面に表示された二次元バーコード（クレジットカード番号）を読み取りさせてカードリーダ１０に出力する。
【００６０】
そして、店員はカードリーダ１０のキーボードを操作して、利用金額、支払い回数等（総称して利用情報ともいう）を入力させる。
【００６１】
そして、暗証番号入力手段（図示せず）によって暗証番号が入力された場合は、図示しない送信ボタンが押されると、前述のカード番号Ｃｋｉと利用情報と暗証番号とを組みとしたカード決済要求情報ＣＫｊｉをカードリーダ１０からクレジット会社Ｐｉのサーバに送信する。
【００６２】
一方、クレジット会社Ｐｉのサーバは、カード決済要求情報ＣＫｊｉの暗証番号と、このカード決済要求情報ＣＫｊｉに含まれている携帯電話機電話番号Ｂｉを有する予め記憶されているカード会員情報ＫＫｊｉの暗証番号と比較して一致の有無を判定する。
【００６３】
一致した場合は暗証番号の一致を認証サービスセンターＱｉのサーバ２００に送信して店員コードｔｋｉが入力されるまで本決済を待つ。
【００６４】
認証サービスセンターＱｉのサーバ２００の店員コード入力促進部４１５は、暗証番号の一致で仮利用許可と判断し、店舗側端末装置７０に仮利用許可（暗証番号一致ともいう）を知らせる。
【００６５】
店舗側端末装置７０の携帯型生体認証端末取付台３５は、仮利用許可を裏側の液晶モニタに表示させる。
【００６６】
一方、店舗側端末装置７０側では、クレジット会社Ｐｉが仮利用許可したことが認証サービスセンターＱｉから知らせられると、これを裏面の液晶モニタにメッセージで表示する。
【００６７】
そして、一次元バーコードリーダ４５から店員が携帯している店員カードＴＧｉの店員コードｔｋｉ（店員名ともいう）が出力されると、この店員コードｔｋｉに受付番号ＵＢｉ、生体認証端末電話番号Ａｉ、携帯電話機電話番号Ｂｉ等を付加した店員確認情報ＴＳＣｊｉ（ｔｋｉ、Ａｉ、Ｂｉ、ＵＢｉ・・）をクレジット会社Ｐｉ及び認証サービスセンターＱｉのサーバ２００に送信する。
【００６８】
そして、カードリーダ１０は、クレジット会社Ｐｉからのカード認証結果がカード利用可能を示している場合は、利用金額と利用日時と予め設定されている店舗名とを印字した明細書をプリンタから発行させる。
【００６９】
つまり、クレジットカードがなくとも、携帯電話機３０を用いさせて生体認証端末１００で本人であることを店側に知らせて、かつクレジット会社でも暗証番号の一致を知らせている。このため店員は、安心して本人確認を意味する店員コードｔｋｉを入力できる。
【００７０】
また、店員コードｔｋｉを入力しているので、誰が取り扱ったかを後日で確認ができるようになっている。
【００７１】
さらに、本実施の形態のカード決済システムは、クレジットサービス認証情報登録モードを実行する。クレジットサービス認証情報登録モードは、携帯電話機によるクレジットサービスを受けるために、後述するセンター側登録済甲部取得関連情報ＲＭｊｉを認証サービスセンターＱｉに登録するモードである。
【００７２】
（各種情報の説明）
前述のセンター側登録済甲認証用特性情報ＲＨｊｉは、後述する指甲接続部分境界線情報ＡＮｉ、静脈パターン特性データＶＰＢＣｉを含んでいる。
【００７３】
また、生体認証端末１００で実際に手の甲及び後述する指甲接続部分Ｌｉの各々の画像から取得した甲部画像Ｈｄｉ、ＲＯＩ画像Ｈｒｉ、静脈パターンＶＰｉ、指甲接続部分画像ＬＨｉ（以下総称して取得甲部関連画像ＴＢＧｉという）から算出した指甲接続部分境界線情報ＡＮｉと、静脈パターン特性データＶＰＢＣｉとを端末側取得甲認証特性情報ＴＳｊｉと称する。
【００７４】
また、この端末側取得甲認証特性情報ＴＳｊｉと取得甲部関連画像ＴＢＧｉとの組を端末側甲部取得関連情報ＴＥｊｉと称する。
【００７５】
つまり、甲部画像Ｈｄｉ、ＲＯＩ画像Ｈｒｉ、静脈パターンＶＰｉ、指甲接続部分画像ＬＨｉと、指甲接続部分境界線情報ＡＮｉと、静脈パターン特性データＶＰＢＣｉとを総称して端末側甲部取得関連情報ＴＥｊｉと称している。
【００７６】
（店舗側端末装置７０の構成）
上記の店舗側端末装置７０について図２を用いて以下に説明する。店舗側端末装置７０は、図２に示すように、携帯型生体認証端末取付台３５と、生体認証端末１００と、カードリーダ１０と、一次元バーコードリーダ４５と、二次元バーコードリーダ１５と、図示しない暗証番号入力手段等を総称したものである。
【００７７】
図２は店舗側端末装置７０の斜視図である。図２（ａ）は店舗側端末装置７０の正面斜視図を示し、図２（ｂ）は店舗側端末装置７０の背面図を示している。
【００７８】
携帯型生体認証端末取付台３５は、図２（ａ）及び図２（ｂ）に示すように、底板３５ａの上に縦板３５ｂを固定したＴ型構造にされている。そして、縦板３５ｂの下部には開口部３５ｃを形成している。
【００７９】
前述の底板３５ａは、例えば３０ｃｍ×３０ｃｍの正方形であり、縦板３５ｂは高さが底板３５ａの上面から約５０ｃｍ程度で横幅が３０ｃｍにされている。
【００８０】
そして、縦板３５ｂの下部には、縦板３５ｂの中心軸から左右１０ｃｍで高さが１８ｃｍ程度の開口部３５ｃを形成している。また、縦板３５ｂの上面には持ち運びを容易にするための取手３５ｄが設けられている。
【００８１】
さらに、縦板３５ｂは、底板３５ａの手前から約１０ｃｍの位置に垂設され、後方を広くとっている。これは、手前側で生体認証端末１００によって手の甲を認証させ、裏側において店員が店員コードｔｋｉなどを取付台用キーパッド部３５ｇで入力可能とするためである。
【００８２】
また、図２（ｂ）に示すように、裏側には取付台用液晶モニタ３５ｅと、取付台用キーパッド部３５ｇ等を備えている。
【００８３】
（携帯型生体認証端末取付台３５の構成）
図３は携帯型生体認証端末取付台３５の概略構成図である。携帯型生体認証端末取付台３５は、図３に示すように、内部に店員コード読取部１４と、店員確認情報通知部１６と、本人通知部１８等を備えている。これらはＣＰＵ、メモリ等からなるプロセッサで実行されるプログラムである。
【００８４】
店員コード読取部１４は、一次元バーコードリーダ４５が読み込んだ店員カードＴＧｉの店員コードｔｋｉを内部に取り込んで本人通知部１８に出力する。
【００８５】
本人通知部１８は、生体認証端末１００からの認証判定情報ＮＨｊｉ（Ｂｉ、Ａｉ、Ｍｉ、・・）に含まれている認証結果Ｍｉを取り込んで、認証結果Ｍｉが利用許可を示している場合は、例えば「本人です」というメッセージを取付台用液晶モニタ３５ｅに表示する。
【００８６】
そして、店員確認情報通知部１６から仮利用許可判定情報ＫＥｊｉ（仮カード認証許可、Ｂｉ、ＵＢｉ）を受け取ったことが知らせられると（フラグ）、取付台用液晶モニタ３５ｅに仮カード認証ＯＫのメッセージを表示する。
【００８７】
そして、店員コード読取部１４から店員コードｔｋｉが入力すると、これを取付台用液晶モニタ３５ｅに表示する。また、本人通知部１８は、メモリ１７に店員コードｔｋｉと認証判定情報ＮＨｊｉ（Ａｉ、Ｂｉ、Ｍｉ）と仮カード認証ＯＫのフラグを記憶する。
【００８８】
このとき、図示しないタイマーカレンダの年月日、時刻（以下サービス利用時間Ｓｔｉという）を表示すると共に、これをメモリ１７に記憶する。
【００８９】
店員確認情報通知部１６は、本人通知部１８が認証判定情報ＮＨｊｉを受信した場合は、カードリーダ１０及び二次元バーコードリーダ１５を起動させる。
【００９０】
そして、認証サービスセンターＱｉからインターネット網２０によって仮利用許可判定情報ＫＥｊｉ（仮カード認証許可、Ｂｉ、ＵＢｉ）を受信し、これを受け取ったことを本人通知部１８に知らせる。
【００９１】
そして、取付台用キーパッド部３５ｇから「本人確認」キー（例えばＦ１）が押されると、メモリ１７の店員コードｔｋｉと、サービス利用時間Ｓｔｉと、認証判定情報ＮＨｊｉ（Ａｉ、Ｂｉ、Ｍｉ）と、仮カード認証ＯＫのフラグとを一組にした店員確認情報ＴＳＣｊｉ（ｔｋｉ、Ｓｔｉ、Ａｉ、Ｂｉ、Ｍｉ、仮カード認証ＯＫのフラグ、ＵＢｉ）をインターネット網２０によって認証サービスセンターＱｉのサーバ２００に送信する。
【００９２】
なお、本人確認キーは必須ではない、単に店員コードｔｋｉを一次元バーコードリーダ４５が読み込んだときに店員が本人確認したと判断してもかまわない。
【００９３】
（生体認証端末１００の構成）
図４は生体認証端末１００の斜視図である。図５は生体認証端末１００の正面図である。図６は生体認証端末１００の断面側面図である。
【００９４】
図４、図５、図６に示すように生体認証端末１００は、正面側が斜めになるように形成され、内部に斜めに空洞を設けた箱型形状にされている。
【００９５】
正面には操作部１０５が設けられている。この操作部１０５は、液晶モニタ１０１と、キーパッド部１０２と、赤外線センサ部１０３（１０３ａ、１０３ｂ・・・）等が箱１０６に接続されている。
【００９６】
また、箱１０６の内部には図６に示すように、長方形状の空洞部１０７が斜めに形成されている。この空洞部１０７の下部は開口されている。また、空洞部１０７の内面に赤外線を吸収する物質が塗布されている。
【００９７】
そして、空洞部１０７の上部は赤外線フィルタ１０７ａで仕切られている。この赤外線フィルタ１０７ａの上側には、赤外照明器１０７ｂａ、１０７ｂｂと、可視光線及び赤外の帯域まで反応して手の甲を撮影するＣＣＤ内臓の甲撮影用デジタルカメラ１０７ｃａと、可視光線及び赤外の帯域まで反応して指と甲との接続部分である指甲接続部分Ｌｉを撮影するＣＣＤ内臓の指部撮影用デジタルカメラ１０７ｃｂとが設けられている。
【００９８】
前述の指甲接続部分Ｌｉは、ＭＰ関節部（Ｍｅｔａｃａｃａｒｐ  Ｐｈａｌａｎｇｅａｌ  Ｊｏｉｎｎｔ）又は中手指節間関節部とも称され、本実施の形態では第２〜第４中骨手と第２〜第４基節骨との間のＭＰ関節部である。
【００９９】
前述の指甲接続部分Ｌｉを図７に示す。指甲接続部分Ｌｉは図７に示すように、中指と薬指とをつなぐ第１の湾曲線Ｌａａｉと、中指と人差し指とをつなぐ第２の湾曲線Ｌｂｂｉを含む領域である。
【０１００】
さらに、図４、図５、図６に示すように空洞部１０７の壁側となる側の下部に安定ハンドル１０８を備えている。安定ハンドル１０８は、水平棒１０８ａに中指を挿入可能な幅で水平棒１０８ａに設けられた２本の棒１０８ｂｂとで構成されている。
【０１０１】
この２本の棒１０８ｂｂは、湾曲又は斜めにされて空洞部１０７の下の筐体に取り付けられている。
【０１０２】
さらに、空洞部１０７の下部には手の甲でオンオフさせられる甲撮影用マイクロスイッチ１０９ａが設けられている。また、安定ハンドル１０８は二本の棒１０８ｂｂが押されると動くようにされ、この動きで指撮影用マイクロスイッチ１０９ｂがオン状態になる。二本の棒１０８ｂｂとの間を挿入口１０８ｂと称する。
【０１０３】
また、空洞部１０７の下部の開口には覆い部材１１１が設けられ、さらに人体検出センサ１０７ｇが設けられている。
【０１０４】
さらに、操作部１０５の上部にＣＣＤ内臓の顔撮影用デジタルカメラ１１２が設けられている。
【０１０５】
前述の赤外線センサ部１０３は、図８に示すように、人間の眉毛、鼻、唇を含む領域（以下顔判定用領域Ａｇｉという）を撮影させるものである。
【０１０６】
以下に生体認証端末１００及び認証サービスセンターＱｉのサーバ２００の構成を説明する。
【０１０７】
（生体認証端末の詳細構成）
次に、生体認証端末１００の詳細な構成を、図９を用いて説明する。
【０１０８】
図９に示すように、生体認証端末１００はさらにプロセッサ１２０を備えている。プロセッサ１２０は人体検出センサが人体を感知した場合に起動状態になって液晶モニタ１０１を動作状態にする。
【０１０９】
プロセッサ１２０は、モード判定部１２１と、会員・電話サービス問合部１２２と、顔画像取得部１２３と、指甲接続部分画像取得部１２５と、駆動指示部１２８と、甲部・ＲＯＩ画像取得部１３２と、一時記憶用メモリ１３３と、静脈パターン特性データ生成部１３５と、取付台用甲認証情報送出部１３６と、位置補正値算出部１３７と、静脈パターンマッチング部１３８と、認証結果送信部１３９とを備えている。
【０１１０】
なお、静脈パターン特性データ生成部１３５と、位置補正値算出部１３７と、静脈パターンマッチング部１３８とを総称して甲部認証部１３１と称する。
【０１１１】
さらに、プロセッサ１２０は、一時記憶用メモリ１３３と、電話認証用登録情報送信部１４０と、センター側登録済生体特性情報用メモリ１４１と、登録情報受信部１４２等に接続されている。
【０１１２】
一時記憶用メモリ１３３には、取得甲部関連画像ＴＢＧｉ（甲部画像Ｈｄｉ、ＲＯＩ画像Ｈｒｉ、静脈パターンＶＰｉ、指甲接続部分画像ＬＨｉ）と、端末側取得甲認証特性情報ＴＳｊｉ（指甲接続部分境界線情報ＡＮｉ、静脈パターン特性データＶＰＢＣｉ）とからなる端末側甲部取得関連情報ＴＥｊｉ等が記憶される。
【０１１３】
センター側登録済生体特性情報用メモリ１４１には、センター側登録済甲認証用特性情報ＲＨｊｉが記憶される。
【０１１４】
モード判定部１２１は、人体検出センサ１０７ｇがオン状態になると各部を起動状態にして、液晶モニタ１０１に予め記憶されている生体認証端末電話番号Ａｉを表示すると共に、携帯電話機によるクレジット決済モードであることを表示する。また、「Ｆ１は携帯電話機によるクレジットサービス認証情報登録モード」と表示する。
【０１１５】
なお、人体検出センサ１０７ｇは必須ではない、他のファンクションキー（例えばＦ４）を動作用のキーとしてもかまわない。
【０１１６】
帯電話機によるクレジットサービス認証情報登録モードは、生体認証端末１００のテンキー操作で携帯電話機電話番号Ｂｉを入力させて会員・電話サービス問合部１２２から電話認証時の登録可能かどうかの認証を受ける。
【０１１７】
そして、帯電話機によるクレジット決済モードのサービスを受けるための登録が可能とされた場合は、安定ハンドル１０８に手を挿入させて一時記憶用メモリ１３３に記憶される端末側甲部取得関連情報ＴＥｊｉに携帯電話機電話番号Ｂｉを付加して認証サービスセンターＱｉの生体情報登録用データベース２５０にセンター側登録済甲部取得関連情報ＲＭｊｉとして登録させる。
【０１１８】
また、帯電話機によるクレジット決済モードは、携帯電話機３０によって生体認証端末電話番号Ａｉで電話をかけさせて、安定ハンドル１０８に手を挿入したときの端末側甲部取得関連情報ＴＥｊｉから求めた端末側取得甲認証特性情報ＴＳｊｉと、認証サービスセンターＱｉのセンター側登録済甲認証用特性情報ＲＨｊｉとを比較して認証する。
【０１１９】
そして、この生体認証結果情報Ｎｊｉ（Ａｉ、Ｂｉ、Ｍｉ、Ｇａｉ）を認証サービスセンターＱｉのサーバ２００にインターネット網２０によって送信すると共に、携帯型生体認証端末取付台３５に認証判定情報ＮＨｊｉ（Ａｉ、Ｂｉ、Ｍｉ）出力して本人であることを店員に知らせる。
【０１２０】
会員・電話サービス問合部１２２は、クレジットサービス認証情報登録モードで動作する。
【０１２１】
会員・電話サービス問合部１２２は、クレジットサービス認証情報登録モードの場合は、キーパッド部１０２のテンキーで入力された携帯電話機電話番号Ｂｉを図示しないメモリに記憶する。
【０１２２】
そして、予め登録されている生体認証端末電話番号Ａｉと共に登録モードを示すフラグを含ませた電話クレジットサービス認証登録問合情報Ｋｒｉ（Ａｉ、Ｂｉ、登録モードフラグ）を認証サービスセンターＱｉに送信して、電話クレジットサービス認証時の手の甲の登録可能かどうかの認証を受ける。
【０１２３】
顔画像取得部１２３は、クレジットサービス認証情報登録モード又は携帯電話機によるクレジット決済モードで動作する。
【０１２４】
顔画像取得部１２３は、赤外線センサ部１０３を駆動すると共に、顔撮影用デジタルカメラ１１２を撮影状態にして顔撮影用デジタルカメラ１１２からの顔画像Ｇａｉを図示しないメモリに取り込む。
【０１２５】
そして、赤外線センサ部１０３からの各赤外線センサ１０３ａ・・・のスポット光を図示しないスポット光定義用メモリに定義してスポット光画像を生成し、このスポット光画像を顔画像Ｇａｉ上に重ねる。
【０１２６】
また、スポット光画像が眉毛、眼、鼻、口の顔判定用領域Ａｇｉに存在する場合は、顔を捉えているとしてシャッタ信号を顔撮影用デジタルカメラ１１２に出力して撮影させる。この顔画像Ｇａｉを一時記憶用メモリ１３３に記憶する。
【０１２７】
指甲接続部分画像取得部１２５は、クレジットサービス認証情報登録モード又は携帯電話機によるクレジット決済モードで動作する。
【０１２８】
指甲接続部分画像取得部１２５は、指撮影用マイクロスイッチ１０９ｂのオンに伴って指部撮影用デジタルカメラ１０７ｃｂにシャッタ信号を送出して図１０（ａ）に示す指甲接続部分Ｌｉの画像（以下指甲接続部分画像ＬＨｉという）を取得し、これを一時記憶用メモリ１３３に記憶する。
【０１２９】
また、指甲接続部分画像取得部１２５は、図１０（ｂ）に示すように、指甲接続部分画像ＬＨｉから中指と薬指との接続部分である第１の湾曲線画像ＬＧａと、中指と人差し指との接続分である第２の湾曲線画像ＬＧｂとを抽出し、これらを線分で定義した第１の湾曲線Ｌａａｉ（Ｌａａ１、Ｌａａ２）、第２の湾曲線Ｌｂｂｉ（Ｌｂｂ１、Ｌｂｂ２）を得る。
【０１３０】
そして、図１０（ｂ）に示すように、第１の湾曲線Ｌａａｉ（Ｌａａ１、Ｌａａ２）の両端のピクセル座標Ａ、Ｂと、交点Ｃの各々のピクセル座標と、第１の湾曲線Ｌａａ１、Ｌａａ２とが成す開度θ１とを第１の湾曲線パラメータとして一時記憶用メモリ１３３に記憶する。
【０１３１】
また、図１０（ｃ）に示すように、第２の湾曲線Ｌｂｂｉ（Ｌｂｂ１、Ｌｂｂ２）の両端のピクセル座標Ａ´、Ｂ´と、交点Ｃ´の各々のピクセル座標と、第２の湾曲線Ｌｂｂ１、Ｌｂｂ２とが成す開度θ２とを第２の湾曲線パラメータとして一時記憶用メモリ１３３に記憶する。これらの第１及び第２の湾曲線パラメータを総称して前述の指甲接続部分境界線情報ＡＮｉと称する。
【０１３２】
すなわち、安定ハンドル１０８における2本の棒１０８ｂｂ間の挿入口１０８ｂに挿入したときの中指と薬指との湾曲線の開度θ１と、中指と薬指との湾曲線が接する交点Ｃと、中指と人差し指との湾曲線の開度θ２と、中指と人差し指との湾曲線が接する交点Ｃ´とを定義している。
【０１３３】
駆動指示部１２８は、甲撮影用マイクロスイッチ１０９ａ又は指撮影用マイクロスイッチ１０９ｂがオンになったかどうかを監視し、安定ハンドル１０８の挿入口１０８ｂに中指が挿入されて指撮影用マイクロスイッチ１０９ｂがオンになった場合に、指甲接続部分画像取得部１２５、顔画像取得部１２３を起動させる。
【０１３４】
甲部・ＲＯＩ画像取得部１３２は、クレジットサービス認証情報登録モード又は携帯電話機によるクレジット決済モードで動作する。
【０１３５】
甲部・ＲＯＩ画像取得部１３２は、甲撮影用デジタルカメラ１０７ｃａからの甲部画像Ｈｄｉを取得して一時記憶用メモリ１３３に記憶すると共に、この甲部画像Ｈｄｉから認証に必要な静脈パターンの部分（細い静脈パターンを含む）をＲＯＩ画像Ｈｒｉとして抽出して一時記憶用メモリ１３３に記憶する。
【０１３６】
静脈パターン特性データ生成部１３５は、クレジットサービス認証情報登録モード又は携帯電話機によるクレジット決済モードで動作する。
【０１３７】
静脈パターン特性データ生成部１３５は、ＲＯＩ画像Ｈｒｉの太い大静脈パターンＳＰｉ及び細い細静脈パターンＺＰｉを抽出して合成し、この静脈合成パターンＧｐｉを２値化してノイズ除去した静脈パターンＶＰｉを生成し一時記憶用メモリ１３３に記憶する。
【０１３８】
また、静脈パターン特性データ生成部１３５は、静脈パターンＶＰｉの各分岐点を求め、これらの分岐点を結んだ多角形を生成し、この多角形を前述の静脈パターン特性データＶＰＢＣｉとして一時記憶用メモリ１３３に記憶する。
【０１３９】
前述のＲＯＩ画像Ｈｒｉ、静脈パターンＶＰｉ、静脈パターン特性データＶＰＢＣｉを図１１に示す。
【０１４０】
図１１（ａ）はＲＯＩ画像Ｈｒｉ、図１１（ｂ）は静脈パターンＶＰｉと分岐点Ｖｉ（Ｖｂ１・・Ｖｂ６）とを示し、図１１（ｃ）は多角形の静脈パターン特性データＶＰＢＣｉを示している。この静脈パターン特性データＶＰＢＣｉの生成については後述する。
【０１４１】
取付台用甲認証情報送出部１３６は、帯電話機によるクレジット決済モードで動作する。
【０１４２】
そして、取付台用甲認証情報送出部１３６は、後述する認証結果送信部１３９からの生体認証結果情報Ｎｊｉに含まれている認証判定情報ＮＨｊｉ（Ｂｉ、Ａｉ、Ｓｔｉ、Ｍｉ）を携帯型生体認証端末取付台３５に出力する。
【０１４３】
位置補正値算出部１３７は、帯電話機によるクレジット決済モードの場合に動作する。位置補正値算出部１３７は、一時記憶用メモリ１３３に記憶された端末側甲部取得関連情報ＴＥｊｉに含まれている端末側取得甲認証特性情報ＴＳｊｉの指甲接続部分境界線情報ＡＮｉを読み込む。そして、センター側登録済生体特性情報用メモリ１４１のセンター側登録済甲認証用特性情報ＲＨｊｉ（センター側登録されているＡＮｉ、ＶＰＢＣｉ）を読み込み、これらを比較して、安定ハンドル１０８の挿入口に中指を挿入したときの手の挿入角度のずれを補正する補正値ｔｍｂを算出する。
【０１４４】
この補正値ｔｍｂで補正した静脈パターン補正画像ｔｂｍＶＰｉを生成して一時記憶用メモリ１３３に記憶する。
【０１４５】
すなわち、安定ハンドル１０８における2本の棒１０８ｂｂ間の挿入口１０８ｂに挿入したときの認証サービスセンターＱｉに登録している基準とのずれを求めている。
【０１４６】
静脈パターンマッチング部１３８は、帯電話機による生体認証端末側クレジット決済モードで動作する。
【０１４７】
静脈パターンマッチング部１３８は、図１２（ａ）に示すように、静脈パターン補正画像ｔｍａＶＰｉの各分岐点（Ｖｐａ、Ｖｐｂ・・・）を求め、これらの分岐点を結んだ多角形を静脈パターン特性データＶＰＢＣｉとして生成し、さらに分岐点同士を重ねるための重み付け係数ＢＰＷＦｉを生成する。
【０１４８】
そして、センター側登録済生体特性情報用メモリ１４１に記憶されているセンター側登録済甲認証用特性情報ＲＨｊｉの静脈パターン特性データＶＰＢＣｉ（図１２（ｂ）を参照）と、生成された重み付け係数ＢＰＷＦｉを用いてセンター側で登録されていた静脈パターン特性データＶＰＢＣｉ（図１２（ｂ）を参照）を回転させて一致の有無を判定し（図１２（ｃ）を参照）、この認証結果を認証結果送信部１３９に送出する。
【０１４９】
認証結果送信部１３９は、帯電話機による生体認証端末側クレジット決済モードで動作する。認証結果送信部１３９は、静脈パターンマッチング部１３８からの認証結果Ｍｉを液晶モニタ１０１及び携帯型生体認証端末取付台３５に出力する。
【０１５０】
そして、認証サービスセンターＱｉに対して一時記憶用メモリ１３３に記憶されている携帯電話機電話番号Ｂｉ、生体認証端末電話番号Ａｉ及び顔画像Ｇａｉを読み込み、図示しないカレンダータイマーの年月日時刻をサービス利用時間Ｓｔｉとし、これらを付加した生体認証結果情報Ｎｊｉを認証サービスセンターＱｉに送信する。
【０１５１】
また、認証結果送信部１３９は、取付台用甲認証情報送出部１３６に生体認証結果情報Ｎｊｉに含まれている認証判定情報ＮＨｊｉ（携帯電話機電話番号Ｂｉ、生体認証端末電話番号Ａｉ、サービス利用時間Ｓｔｉ、認証結果Ｍｉ）に出力する。
【０１５２】
そして、直ちにセンター側登録済生体特性情報用メモリ１４１のセンター側登録済甲認証用特性情報ＲＨｊｉを削除する。これによってセキュリティーが保たれる。
【０１５３】
電話認証用登録情報送信部１４０は、帯電話機によるクレジットサービス認証情報登録モードの場合に動作する。
【０１５４】
電話認証用登録情報送信部１４０は、一時記憶用メモリ１３３の端末側甲部取得関連情報ＴＥｊｉに図示しないカレンダータイマーの年月日時間（以下登録時間ＩＴｉという）と生体認証端末電話番号Ａｉと携帯電話機電話番号Ｂｉと認証サービスセンターＱｉのＩＰアドレス等を付加したセンター登録用取得生体情報ＴＺｊｉとして認証サービスセンターＱｉにインターネット網２０によって送信する。
【０１５５】
登録情報受信部１４２は、帯電話機によるクレジット決済モードで動作する。認証サービスセンターＱｉからのセンター側登録済甲認証用特性情報ＲＨｊｉを受信し、これをセンター側登録済生体特性情報用メモリ１４１に登録する。
【０１５６】
（認証サービスセンターの詳細構成）
図１３は認証サービスセンターＱｉの詳細構成図である。
【０１５７】
認証サービスセンターＱｉは、図１３に示すように交換機３００と、サーバ２００とを備えている。
【０１５８】
交換機３００は、認証サービスセンターＱｉが管轄する生体認証端末１００に割り付けている生体認証端末電話番号Ａｉ（Ａ１、Ａ２・・・）を記憶している。
【０１５９】
サーバ２００は、電話サーバ部２０５と、生体認証情報受信部２０７と、会員認証部２０８と、メッセージ送信部２１０と、回線接続切替部２１２と、生体認証情報送信部２１４と、甲部静脈特性データ検索部２１６と、履歴情報作成部２２０と、生体認証結果受信部２３０と、課金処理部２３２とを備えている。
【０１６０】
さらに、カード番号要求部４００と、カード番号転送部４１０と、店員コード入力促進部４１５と、メールサーバ４２０と、カード番号要求情報作成部４４０等を備えている。
【０１６１】
また、会員情報用データベース２４０と、顔画像用メモリ２４２と、履歴情報用テーブル２４６と、生体情報登録用データベース２５０と、生体認証端末情報用データベース２５２と、課金情報用テーブル２５６と、カード番号要求用テーブル４３０等を備えている。
【０１６２】
（各データベース及びテーブルの説明）
前述の会員情報用データベース２４０、生体認証端末情報用データベース２５２、顔画像用メモリ２４２、課金情報用テーブル２５６について図１４を用いて説明する。
【０１６３】
図１４（ａ）は会員情報用データベース２４０の会員情報Ｋｉを示し、図１４（ｂ）は生体認証端末情報用データベース２５２を示し、図１４（ｃ）は顔画像用メモリ２４２を示し、図１４（ｄ）課金情報用テーブル２５６を示す。
【０１６４】
会員情報用データベース２４０には、図１４（ａ）に示すように、携帯電話機電話番号Ｂｉと、静脈パターン特性データＶＰＢＣｉの登録時間ＩＴｉ（年月日、時刻）と、メールアドレスと、住所（国名、市町村名、丁、番地）と、口座番号と等からなる。なお、メールアドレス、住所、口座番号は、認証サービスセンターＱｉに書類（携帯電話機電話番号Ｂｉを記載）で届けてオペレータによって登録するのが好ましい。
【０１６５】
生体認証端末情報用データベース２５２には、図１４（ｂ）に示すように、生体認証端末電話番号Ａｉと、生体認証端末１００のＩＰアドレスＤｉと、生体認証端末の場所（国名、都道府県名、市町村名、丁名、番地、ビル名、階数、店舗名）と、店舗の店員コードｔｋｉと生体認証端末取付台のＩＰアドレス（以下取付台アドレスという）等を関連付けて記憶している。
【０１６６】
顔画像用メモリ２４２には、図１４（ｃ）に示すように、携帯電話機電話番号Ｂｉと、サービス利用時間Ｓｔｉ（年月日、時刻）と、登録時間ＩＴｉと、利用した生体認証端末電話番号Ａｉと、利用時の顔画像Ｇａｉと、顔画像登録番号Ｈｕｉ等が関連付けられて記憶される。
【０１６７】
課金情報用テーブル２５６は、図１４（ｄ）に示すように、携帯電話機電話番号Ｂｉと、サービス利用時間Ｓｔｉと、生体認証端末電話番号Ａｉと、課金日と、受付番号ＵＢｉと、課金料等が関連付けられて記憶される。
【０１６８】
図１５は生体情報登録用データベース２５０を説明する説明図である。生体情報登録用データベース２５０には、図１５に示すように、携帯電話機電話番号Ｂｉと、静脈パターン特性データＶＰＢＣｉ（分岐点のピクセル座標、分岐角度、分岐点個数）と、静脈パターンを登録した生体認証端末１００の生体認証端末電話番号Ａｉと、指甲接続部分画像ＬＨｉと、指甲接続部分境界線情報ＡＮｉと、甲部画像Ｈｄｉと、ＲＯＩ画像Ｈｒｉと、静脈パターンＶＰｉと、登録時間ＩＴｉ（年月日、時刻）とが関連付けられて記憶されている。これらを総称してセンター側登録済甲部取得関連情報ＲＳｊｉと称している。
【０１６９】
なお、センター側登録済甲部取得関連情報ＲＳｊｉの内で、静脈パターン特性データＶＰＢＣｉと、指甲接続部分境界線情報ＡＮｉとを総称してセンター側登録済甲認証用特性情報ＲＨｊｉと称している。
【０１７０】
図１６は履歴情報用テーブル２４６を説明する説明図である。履歴情報用テーブル２４６には、図１６に示すように、携帯電話機電話番号Ｂｉの欄と、サービス利用時間Ｓｔｉの欄と、生体認証端末電話番号Ａｉの欄と、認証結果Ｍｉの欄と、利用時の顔画像登録番号Ｈｕｉの欄と、特性データの送信状況ＲＥｉの欄と、取付台アドレス欄等からなる。
【０１７１】
カード番号要求用テーブル４３０は、図１７に示すように、カード番号要求フラグｆｙｉの欄と、携帯電話機電話番号Ｂｉの欄と、指定クレジット会社名情報ＣＭｊｉの欄と、カード番号受信済フラグｆｊｉの欄と、カード番号転送済フラグｆｔｉの欄と、受付番号ＵＢｉの欄と、サービス利用時間Ｓｔｉの欄と、カード会社仮認証結果ｃｆｉの欄等からなる。
【０１７２】
図１８は課金情報用テーブル２５６を説明する説明図である。課金情報用テーブル２５６は、携帯電話機電話番号Ｂｉの欄と、サービス利用時間Ｓｔｉの欄と、受付番号ＵＢｉの欄と、課金未フラグの欄等からなる。
【０１７３】
（各部の説明）
電話サーバ部２０５は、交換機３００からの着呼情報Ｔｊｉ（生体認証端末電話番号Ａｉ、携帯電話機電話番号Ｂｉ）を入力し、この着呼情報Ｔｊｉを会員認証部２０８及びカード番号要求部４００等に出力する。また、メッセージ送信部２１０からの音声メッセージを入力し、交換機３００を介して携帯電話機３０に送信する。
【０１７４】
さらに、電話サーバ部２０５は、携帯電話機によるクレジット決済モードにおいて、クレジット会社名Ｃｎｉを指定したテンキー番号が携帯電話機３０から送信された場合はこの着呼情報Ｔｊｉの携帯電話機電話番号Ｂｉと生体認証端末電話番号Ａｉ並びにクレジット会社名Ｃｎｉとを指定クレジット会社名情報ＣＭｊｉ（Ａｉ、Ｂｉ、Ｃｎｉ）としてカード番号要求部４００に出力する。
【０１７５】
生体認証情報受信部２０７は、生体認証端末１００から電話クレジットサービス認証登録問合情報Ｋｒｉ（Ａｉ、Ｂｉ、登録モードフラグ）を受信する毎に、これを会員認証部２０８に出力して、電話クレジットサービスを受けるための手の甲の静脈パターンの登録が可能かどうかの判定を受け、この判定結果を生体認証端末１００に送信する。
【０１７６】
また、生体認証情報受信部２０７は、登録が可能と判断された場合は、生体認証端末１００からのセンター登録用取得生体情報ＴＺｊｉ（端末側登録済甲部取得関連情報ＴＭｊｉ、生体認証端末電話番号Ａｉ、携帯電話機電話番号Ｂｉ、登録時間ＩＴｉ等）を受信し、これをセンター側登録済甲部取得関連情報ＲＳｊｉとして生体情報登録用データベース２５０に登録する。
【０１７７】
会員認証部２０８は、生体認証情報受信部２０７から電話クレジットサービス認証登録問合情報Ｋｒｉ（Ａｉ、Ｂｉ、登録モードフラグ）を受け取った場合は、電話クレジットサービス認証登録問合情報Ｋｒｉに含まれている携帯電話機電話番号Ｂｉを有するレコードを会員情報用データベース２４０から検索する。そして、このレコードに含まれている場合は、会員と認証する。
【０１７８】
また、会員認証部２０８は、電話サーバ部２０５からの着呼情報Ｔｊｉが出力されたかどうかを監視している。
【０１７９】
そして、着呼情報Ｔｊｉが出力された場合は、電話クレジットサービスモードと判定して、この着呼情報Ｔｊｉに含まれている携帯電話機電話番号Ｂｉを有する会員情報Ｋｉが会員情報用データベース２４０に存在するかどうかを判断し、存在する場合は会員と判定する。
【０１８０】
そして、電話クレジットサービス許可情報Ｕｊｉ（Ａｉ、Ｂｉ、許可）を生体認証情報送信部２１４、履歴情報作成部２２０、メッセージ送信部２１０、回線接続切替部２１２等に出力する。
【０１８１】
この電話クレジットサービス許可情報Ｕｊｉには、受信した携帯電話機電話番号Ｂｉ、生体認証端末電話番号Ａｉを含ませて出力する。
【０１８２】
メッセージ送信部２１０は、電話クレジットサービス許可情報Ｕｊｉ（Ａｉ、Ｂｉ、許可）が出力される毎に、電話サーバ部２０５に利用を許可するメッセージを出力する。また、利用不許可の場合は利用不許可にするメッセージを出力する。
【０１８３】
回線接続切替部２１２は、会員認証部２０８から電話クレジットサービス許可情報Ｕｊｉを受け取ってメッセージ送信部２１０がメッセージを送出し、かつクレジット会社名Ｃｎｉを示すテンキーの番号を受信する。
【０１８４】
そして、センター側登録済甲認証用特性情報ＲＨｊｉが送信された場合は、電話サーバ部２０５に対して携帯電話機３０との回線を切断させるコマンドを出力する。
【０１８５】
生体認証情報送信部２１４は、生体認証情報送信部２１４は、会員認証部２０８から電話クレジットサービス許可情報Ｕｊｉ（Ａｉ、Ｂｉ、許可）を受信した場合は、甲部静脈特性データ検索部２１６からセンター側登録済甲認証用特性情報ＲＨｊｉを受け取って、これを生体認証端末情報用データベース２５２のＩＰアドレス宛の生体認証端末１００に送信する。
【０１８６】
甲部静脈特性データ検索部２１６は、会員認証部２０８から電話クレジットサービス許可情報Ｕｊｉ（Ａｉ、Ｂｉ、許可）を受け取った場合は、この電話クレジットサービス許可情報Ｕｊｉ（Ａｉ、Ｂｉ、許可）に含まれる携帯電話機電話番号Ｂｉのセンター側登録済甲部取得関連情報ＲＳｊｉを生体認証端末情報用データベース２５２から読み込んで、このセンター側登録済甲部取得関連情報ＲＳｊｉの中のセンター側登録済甲認証用特性情報ＲＨｊｉを生体認証情報送信部２１４に出力する。
【０１８７】
履歴情報作成部２２０は、電話クレジットサービス許可情報Ｕｊｉが出力される毎に、図１６に示す携帯電話機電話番号欄、サービス利用時間欄、生体認証端末電話番号欄、認証結果欄、生体認証端末ＩＰアドレス欄、利用時の顔画像登録番号欄、特性データ送信状況欄、取付台アドレス欄等からなるレコードを履歴情報用テーブル２４６に生成する。そして、情報が入力した場合は該当の欄に記憶する。
【０１８８】
生体認証結果受信部２３０は、生体認証端末１００から甲部静脈パターンの生体認証結果情報Ｎｊｉ（Ｍｉ、Ｇａｉ、Ａｉ、Ｂｉ、・・）を受信した場合は、この生体認証結果情報Ｎｊｉに含まれている顔画像Ｇａｉにサービス利用時間Ｓｔｉと携帯電話機電話番号Ｂｉと生体認証端末電話番号Ａｉ等を付加して顔画像用メモリ２４２に記憶すると共に、生体認証結果情報Ｎｊｉに含まれている認証結果Ｍｉと携帯電話機電話番号Ｂｉとをカード番号要求部４００に出力する。
【０１８９】
また、生体認証結果情報Ｎｊｉに含まれている生体認証端末電話番号Ａｉと携帯電話機電話番号Ｂｉと認証結果Ｍｉ（ＯＫ）とサービス利用時間Ｓｔｉとを履歴情報作成部２２０に出力して履歴情報用テーブル２４６に記憶させる。
【０１９０】
また、顔画像登録番号Ｈｕｉを履歴情報作成部２２０に出力して履歴情報用テーブル２４６に記憶させる（図１６参照）。
【０１９１】
課金処理部２３２は、一定期間毎（例えば２０日）に、カード番号要求用テーブル４３０を検索し、これらのレコードからカード番号転送済フラグ欄に転送済フラグが書き込まれているレコードを全て読み込む。そして、読み込んだレコードの受付番号ＵＢｉと、携帯電話機電話番号Ｂｉと、生体認証端末電話番号Ａｉと、サービス利用時間Ｓｔｉとを課金情報用テーブル２５６に書き込む。
【０１９２】
そして、このレコードの携帯電話機電話番号Ｂｉの口座番号を会員認証部２０８によって出力させ、この口座情報宛に利用料金を専用回線により請求（生体認証端末の場所名と１回当たりの利用料金）する。
【０１９３】
カード番号要求部４００は、電話サーバ部２０５から指定クレジット会社名情報ＣＭｊｉ（Ｃｎｉ、Ｂｉ）を受信する毎に図示しない乱数発生器で乱数を発生させ、このユニークコードを受付番号ＵＢｉとし、かつ携帯電話機電話番号Ｂｉを有するレコードを履歴情報用テーブル２４６から検索する。
【０１９４】
そして、このレコードのサービス利用時間Ｓｔｉと受付番号ＵＢｉと携帯電話機電話番号Ｂｉとをクレジットカード受付情報ＣＵｊｉ（ＵＢｉ、Ｂｉ、Ｓｔｉ）としてカード番号要求情報作成部４４０に出力する。
【０１９５】
そして、生体認証結果受信部２３０からの生体認証結果情報Ｎｊｉ（Ｂｉ、Ａｉ、Ｇａｉを含む）の認証結果Ｍｉが利用許可を示している場合に、この生体認証結果情報Ｎｊｉに含まれている携帯電話機電話番号Ｂｉを有するレコードをカード番号要求情報作成部４４０によってカード番号要求用テーブル４３０から引き当てさせる。
【０１９６】
そして、このレコードのクレジット会社名Ｃｎｉと携帯電話機電話番号Ｂｉと受付番号ＵＢｉとサービス利用時間Ｓｔｉとをカード番号要求情報ＣＹｊｉとしてクレジット会社機構の配信サーバ８０を介して該当のクレジット会社Ｐｉに送信する。
【０１９７】
カード番号転送部４１０は、カード番号要求部４００がカード番号要求情報ＣＹｊｉ（Ｃｎｉ、Ｂｉ、ＵＢｉ、Ｓｔｉ）をクレジット会社Ｐｉに送信した後に、クレジット会社Ｐｉからのカード番号Ｃｋｉ及び携帯電話機電話番号Ｂｉ並びに受付番号ＵＢｉ（総称してクレジットカード番号情報Ｃｊｉ）を受信し、このクレジットカード番号情報Ｃｊｉ（Ｃｋｉ、Ｂｉ、ＵＢｉ）のカード番号Ｃｋｉを二次元バーコードデータに変換する。
【０１９８】
そして、この携帯電話機電話番号Ｂｉに関連付けられているメールアドレスを会員認証部２０８から出力させて、このメールアドレスと二次元バーコードデータとをメールサーバ４２０に出力する。
【０１９９】
このとき、カード番号転送部４１０は、カード番号要求情報作成部４４０に対してカード番号受信済フラグ情報Ｆｊｉ（携帯電話機電話番号Ｂｉ、受付番号ＵＢｉ、カード番号受信済フラグを含む）を出力する。
【０２００】
メールサーバ４２０は、カード番号転送部４１０からの二次元バーコードデータをメールアドレス宛の携帯電話機３０に送信する。そして、カード番号要求情報作成部４４０に二次元バーコードデータ（クレジットカード番号情報Ｃｊｉ）を携帯電話機３０に転送したことを示すカード番号転送済フラグ情報Ｆｔｊｉ（Ｂｉ、ＵＢｉを含む）を出力する。
【０２０１】
カード番号要求情報作成部４４０は、カード番号要求部４００からのクレジットカード受付情報ＣＵｊｉ（ＵＢｉ、Ｂｉ、Ｓｔｉ）を受信する毎に、カード番号要求用テーブル４３０にカード番号要求フラグ欄、携帯電話機電話番号欄、指定クレジット会社名欄、カード番号受信済フラグ欄、カード番号転送済フラグ欄、受付番号欄、サービス利用時間欄、店員コード欄、カード会社仮認証結果欄等からなるレコードを生成する。
【０２０２】
そして、クレジットカード受付情報ＣＵｊｉ（ＵＢｉ、Ｂｉ、Ｓｔｉ）の受付番号ＵＢｉを受付欄に、携帯電話機電話番号Ｂｉを携帯電話機電話番号欄に記憶する。そして、カード番号要求部４００からの指定クレジット会社名情報ＣＭｊｉに含まれている携帯電話機電話番号Ｂｉを有するレコードをカード番号要求用テーブル４３０から検索し、このレコードの指定クレジット会社名欄に、指定クレジット会社名情報ＣＭｊｉのクレジット会社名Ｃｎｉを書き込む。
【０２０３】
また、カード番号要求情報作成部４４０は、カード番号要求部４００からカード番号受信済フラグ情報Ｆｊｉを受信した場合は、このカード番号受信済フラグ情報Ｆｊｉに含まれている携帯電話機電話番号Ｂｉ、受付番号ＵＢｉを有するレコードをカード番号要求用テーブル４３０から引き当て、カード番号受信済フラグ欄にカード番号受信済フラグｆｊｉを書き込む。
【０２０４】
さらに、カード番号要求情報作成部４４０はメールサーバ４２０からカード番号転送済フラグ情報Ｆｔｊｉ（Ｂｉ、ＵＢｉを含む）を受信した場合は、このカード番号受信済フラグ情報Ｆｊｉに含まれている携帯電話機電話番号Ｂｉ、受付番号ＵＢｉを有するレコードをカード番号要求用テーブル４３０から引き当て、カード番号転送済フラグ欄にカード番号転送済フラグを書き込む。
【０２０５】
店員コード入力促進部４１５は、カード番号転送部４１０がクレジット会社Ｐｉからのカード番号Ｃｋｉを二次元バーコードデータにして携帯電話機３０に送信した後に、カード番号Ｃｋｉに対してクレジット会社Ｐｉから暗証番号の一致の有無を知らせる一致有無情報ＫＮｊｉ（Ｂｉ、ｃｋｉ、ＵＢｉ、一致フラグ）が送信されたかどうかを判断する。
【０２０６】
一致有無情報ＫＮｊｉが送信された場合は、この一致有無情報ＫＮｊｉに一致フラグが含まれている場合は、仮利用許可と判断する。
【０２０７】
そして、この一致有無情報ＫＮｊｉ（Ｂｉ、ｃｋｉ、ＵＢｉ、一致）の受付番号ＵＢｉ、携帯電話機電話番号Ｂｉを有する履歴情報用テーブル２４６のレコードに含まれている取付台アドレスを読み込み、このアドレス宛に仮利用許可判定情報ＫＥｊｉ（仮カード認証許可、Ｂｉ、ＵＢｉ）をインターネット網２０で送信する。
【０２０８】
さらに、店員コード入力促進部４１５は、携帯型生体認証端末取付台３５から店員確認情報ＴＳＣｊｉ（ｔｋｉ、Ｓｔｉ、Ａｉ、Ｂｉ、Ｍｉ、仮カード認証ＯＫのフラグ、ＵＢｉ）をインターネット網２０によって受信して、これをクレジット専用回線網によってクレジット会社Ｐｉに送信すると共に、カード番号要求用テーブル４３０に店員コードを書き込む。
【０２０９】
（全体動作説明）
上記のように構成された携帯端末を用いた認証システムについて図１８、図１９、図２０のシーケンス図を用いて以下に説明する。
【０２１０】
なお、センター側登録済甲部取得関連情報ＲＳｊｉ（携帯電話機電話番号Ｂｉ、静脈パターン特性データＶＰＢＣｉ、生体認証端末電話番号Ａｉ、指甲接続部分画像ＬＨｉ、指甲接続部分境界線情報ＡＮｉ、甲部画像Ｈｄｉと、ＲＯＩ画像Ｈｒｉと、静脈パターンＶＰｉと、・・）は、既に認証サービスセンターＱｉのサーバ２００に登録されているとして説明する。また、履歴情報の作成については説明を一部省略する。
【０２１１】
図１８に示すように、例えば店舗で商品をクレジットカードで購入する会員は、生体認証端末１００の店舗に設けられた生体認証端末１００の液晶モニタ１０１に表示されている生体認証端末電話番号Ａｉあてに電話番号通知で電話をかける（ｄ１）。
【０２１２】
これによって携帯電話網４０を介して認証サービスセンターＱｉの交換機３００に発呼情報（生体認証端末電話番号Ａｉ、携帯電話機電話番号Ｂｉ）が送信される（ｄ２）。
【０２１３】
交換機３００は、発呼情報に含まれている生体認証端末電話番号Ａｉが登録されている場合は、直ちに応答する（ｄ３）。
【０２１４】
そして、交換機３００は、受信した生体認証端末電話番号Ａｉに付加されている携帯電話機電話番号Ｂｉを着呼情報Ｔｊｉとして電話サーバ部２０５に出力する（ｄ４）。
【０２１５】
電話サーバ部２０５は、着呼情報Ｔｊｉ（生体認証端末電話番号Ａｉ及び携帯電話機電話番号Ｂｉ）を会員認証部２０８に送出する（ｄ５）。
【０２１６】
会員認証部２０８は、電話サーバ部２０５からの着呼情報Ｔｊｉ（Ａｉ及びＢｉ）を受け取り、以下に説明する会員認証を行う（ｄ６）。
【０２１７】
会員認証部２０８の処理について図２１のフローチャートを用いて説明する。但し、登録モードの処理については省略する。また、シーケンス図の説明を含めて説明する。
【０２１８】
図２１は会員認証処理を説明するフローチャートである。
【０２１９】
会員認証部２０８は、電話サーバ部２０５が着呼情報Ｔｊｉ（Ａｉ、Ｂｉ）を受信したかどうかを判断する（Ｓ１）。
【０２２０】
着呼情報Ｔｊｉを受信した場合は、電話クレジットサービスモードと判定し、この着呼情報Ｔｊｉを図示しないメモリに一時記憶する（Ｓ２）。
【０２２１】
そして、会員情報用データベース２４０に着呼情報Ｔｊｉの生体認証端末電話番号Ａｉ及び携帯電話機電話番号Ｂｉを有する会員情報Ｋｉが登録されているかどうかを判断する（Ｓ３）。
【０２２２】
次に、会員情報Ｋｉが登録されている場合は会員と判断する（Ｓ４）。そして、会員と判断した場合は、電話クレジットサービス許可情報Ｕｊｉ（利用許可フラグ、Ｂｉ、Ａｉを含む）を各部に出力する（Ｓ６）。
【０２２３】
次に、メッセージ送信部２１０は、電話クレジットサービス許可情報Ｕｊｉが出力された場合は、クレジット会社を選択させるメッセージを電話サーバ部２０５により交換機３００を介して携帯電話機３０に送信する（Ｓ８：図１８のｄ８）。
【０２２４】
例えば、「会員と認証しました。クレジット会社名Ｃｎｉを１〜９番の番号で選択してください。１番は○○クレジット会社、２番は△△クレジット会社・・・」というメッセージを送信する。
【０２２５】
次に、図１８のシーケンス図に戻って説明する。
【０２２６】
このメッセージを受けた携帯電話機３０の所有者は、使用するクレジット会社名Ｃｎｉの番号を選択し（図１８のｄ９）、この番号を携帯電話網で認証サービスセンターＱｉに送信する（ｄ１０）。このクレジット会社名Ｃｎｉを電話サーバ部２０５が交換機３００を介して受信し、前述の着呼情報Ｔｊｉに関連付けてメモリに一時記憶する（図１８のｄ１１）。電話サーバ部２０５は、このメモリの情報を指定クレジット会社名情報ＣＭｊｉ（Ａｉ、Ｂｉ、Ｃｎｉ）としてカード番号要求部４００に出力している。
【０２２７】
そして、図２１に示すように、終了かどうかを判断し、終了でない場合は処理をステップＳ１に戻す（Ｓ１０）。
【０２２８】
また、ステップＳ３において、会員認証部２０８は会員として登録されていないと判定した場合は、電話認証サービス利用不許可情報ＮＵｊｉをメッセージ送信部２１０に出力して処理をステップＳ８に移す（Ｓ９）。
【０２２９】
一方、図１８に示すように、カード番号要求情報作成部４４０はカード番号要求部４００からのクレジットカード受付情報ＣＵｊｉ（ＵＢｉ、Ｂｉ、Ｓｔｉ）を受信する毎に、カード番号要求用テーブル４３０に上記説明のカード番号要求情報を作成する（ｄ１３）。
【０２３０】
次に、図１８に示すように、甲部静脈特性データ検索部２１６は、会員の電話クレジットサービス許可情報Ｕｊｉ（Ａｉ、Ｂｉ、許可）が会員認証部２０８から出力される毎に、この電話クレジットサービス許可情報Ｕｊｉに含まれている携帯電話機電話番号Ｂｉを有するセンター側登録済甲部取得関連情報ＲＳｊｉを生体情報登録用データベース２５０から検索する（ｄ１４）。
【０２３１】
そして、このセンター側登録済甲部取得関連情報ＲＳｊｉに含まれている静脈パターン特性データＶＰＢＣｉ及び指甲接続部分境界線情報ＡＮｉを抽出し、これをセンター側登録済甲認証用特性情報ＲＨｊｉとして生体認証情報送信部２１４に出力する（ｄ１６）。
【０２３２】
次に、図１８に示すように、生体認証情報送信部２１４は、センター側登録済甲認証用特性情報ＲＨｊｉ（指甲接続部分画像ＬＨｉと、指甲接続部分境界線情報ＡＮｉ）を生体認証端末のＩＰアドレスＤｉ宛にインターネット網２０により送信する（ｄ２０）。
【０２３３】
このとき、履歴情報を生成している。つまり、履歴情報作成部２２０は生体認証情報送信部２の１４が送信したセンター側登録済甲認証用特性情報ＲＨｊｉの携帯電話機電話番号Ｂｉを有するレコードを引き当て、図１６に示すように、このレコードの該当の欄に生体認証端末電話番号を記憶し、送信状況を記憶する。
【０２３４】
そして、回線接続切替部２１２は、携帯電話機３０との接続を切断する（（図１８のｄ２１）。
【０２３５】
また、電話クレジットサービス許可情報Ｕｊｉ（Ｂｉ、ＵＢｉ、許可）が出力された場合は、履歴情報作成部２２０が履歴情報を作成する。
【０２３６】
つまり、履歴情報作成部２２０は、電話クレジットサービス許可情報Ｕｊｉが出力される毎に、図１６に示す携帯電話機電話番号欄、利用受付時間欄、生体認証端末電話番号欄、認証結果欄、生体認証端末ＩＰアドレス欄、利用時の顔画像登録番号欄、特性データ送信状況欄、取付台アドレス欄等からなるレコードを履歴情報用テーブル２４６に生成する。
【０２３７】
そして、電話クレジットサービス許可情報Ｕｊｉ（Ｂｉ、ＵＢｉ、許可）に含まれている携帯電話機電話番号Ｂｉを携帯電話機電話番号欄に記憶し、かつ生体認証端末電話番号Ａｉを生体認証端末電話番号欄に記憶する。
【０２３８】
一方、生体認証端末１００の登録情報受信部１４２は、図１８に示すように、認証サービスセンターＱｉからのセンター側登録済甲認証用特性情報ＲＨｊｉ（ＡＮｉ、ＶＰＢＣｉ・・）を受信する。そして、これをセンター側登録済生体特性情報用メモリ１４１に登録して、生体認証端末１００は以下に説明する甲部認証処理を行う（ｄ２３）。そして、生体認証端末１００は、この生体認証結果情報Ｎｊｉを認証サービスセンターＱｉに送信する（ｄ２５）。
【０２３９】
（生体認証端末の甲部認証処理）
図２２は生体認証端末１００に手の甲を撮影させるまでの過程を説明する説明図である。
【０２４０】
会員は、甲部認証を行わせるために、図４に示すようにして手の中指を安定ハンドル１０８の挿入口１０８ｂに挿入して認証させる（図２２（ａ）、図２２（ｂ）、図２２（ｃ）を参照）。
【０２４１】
図２２（ａ）に示すように、会員は安定ハンドル１０８における2本の棒１０８ｂｂ間の指挿入部に中指を挿入する。そして、図２２（ｂ）に示すようにさらに挿入する。
【０２４２】
これによって安定ハンドル１０８は後ろに動くので指撮影用マイクロスイッチ１０９ｂがオン状態になる。
【０２４３】
図２２（ｃ）は安定ハンドル１０８の挿入部に中指を挿入して行く過程を示している。そして、図２２（ｃ）の楕円線で囲んだ状態が中指をさらに押し込んだ状態である。そして、図２２（ｄ）に示すように甲を上げて、甲撮影用マイクロスイッチ１０９ａをオン状態にする。
【０２４４】
駆動指示部１２８は、指撮影用マイクロスイッチ１０９ｂがオンになった場合に指甲接続部分画像取得部１２５を起動させる。図２２（ｅ）が手の甲を撮影したときの画像取得を示している。
【０２４５】
そして、図２３に示すフローチャートに従って甲部の認証処理を行う。図２３は生体認証端末１００の動作を説明するフローチャートである。
【０２４６】
指甲接続部分画像取得部１２５は、指撮影用マイクロスイッチ１０９ｂのオンに伴って指部撮影用デジタルカメラ１０７ｃｂにシャッタ信号を送出して指甲接続部分境界線情報ＡＮｉの算出を行う（Ｓ２００）。
【０２４７】
指甲接続部分境界線情報ＡＮｉの算出は、図１０（ａ）に示す指甲接続部分画像ＬＨｉを取得し、これを一時記憶用メモリ１３３に記憶する。
【０２４８】
そして、指甲接続部分画像取得部１２５は、図１０（ｂ）に示すように、指甲接続部分画像ＬＨｉから第１の湾曲線Ｌａａｉ（中指と薬指）の画像である第１の湾曲線画像ＬＧａと第２の湾曲線Ｌｂｂｉの画像である第２の湾曲線画像ＬＧｂとを抽出する。これらの湾曲線画像に対して、スケルトン処理を施して、第１の湾曲線画像ＬＧａを線分で定義した第１の湾曲線Ｌａａｉを求めると共に、第２の湾曲線画像ＬＧｂを線分で定義した第２の湾曲線Ｌｂｂｉを求める。
【０２４９】
そして、図１０（ｂ）に示すように、第１の湾曲線Ｌａａｉ（Ｌａａ１、Ｌａａ２）の両端のピクセル座標Ａ、Ｂと、交点Ｃの各々のピクセル座標と、第１の境界線Ｌａａ１、Ｌａａ２とが成す開度θ１とを第１の湾曲領域パラメータとして一時記憶用メモリ１３３に記憶する。
【０２５０】
また、図１０（ｃ）に示すように、第２の湾曲線Ｌｂｂｉ（Ｌｂｂ１、Ｌｂｂ２）の両端のピクセル座標Ａ´、Ｂ´と、交点Ｃ´の各々のピクセル座標と、第２の境界線Ｌｂｂ１、Ｌｂｂ２とが成す開度θ２とを第２の湾曲領域パラメータとして一時記憶用メモリ１３３に記憶する。これらの第１及び第２の湾曲領域パラメータが指甲接続部分境界線情報ＡＮｉである。
【０２５１】
次に、図２３に示すように、甲部・ＲＯＩ画像取得部１３２が甲撮影用デジタルカメラ１０７ｃａからの甲部画像Ｈｄｉを取得して一時記憶用メモリ１３３に記憶すると共に、この甲部画像Ｈｄｉから認証に必要な静脈パターンの部分（細い静脈パターンを含む）をＲＯＩ領域と決定する（Ｓ２０１）。
【０２５２】
このＲＯＩ領域の決定について説明を補充する。
【０２５３】
静脈パターンが集中的に分布するＲＯＩ画像Ｈｒｉを抽出するためには、正確なＲＯＩ位置が必要である。ところで、レンズとカメラのモジュール装着位置の誤差により、ＲＯＩ位置は、各カメラの画面毎に多少違って現れる。そこで、以下に記述するＲＯＩ自動検出アルゴリズムによって、正確なＲＯＩ位置を決定する。
【０２５４】
まず、ＲＯＩ画像Ｈｒｉの抽出過程では、手の甲のデジタル原画像（Ｈｄｉ）を構成する全画素を、横軸に明度レベル（０から２５５）の濃淡値をとり、縦軸にその濃淡値を持つ画素数をとったヒストグラムを作成する。
【０２５５】
次に、Ｐ−タイル法を用いて、ヒストグラムから、ＲＯＩ領域と背景の境界となる濃淡値のしきい値Ｔを算出する。静脈パターンが撮影されるＲＯＩ領域は、撮影毎に位置がずれる可能性はあるが、撮影されたＨｄｉ全体の中で占める面積の比率は一定である。
【０２５６】
そこで、画像の中で対象物が占める面積の比率が判明している場合、ヒストグラムからその面積の比率のＰ％点をしきい値ＴとするＰ−タイル法を用いる。Ｐ−タイル法以外に、ヒストグラムの谷を検出するモード法を利用することも可能である。
【０２５７】
そして、しきい値Ｔ以上を濃淡値とする画素を抽出して、ＲＯＩ領域を決定する。
【０２５８】
次に、図２３に示すように、このＲＯＩ領域の画像をＲＯＩ領域のエッジを強調するために、ソーベルフィルタ処理を行って、ＲＯＩ画像Ｈｒｉ（図１１（ａ）参照）として抽出して（Ｓ２０２）、一時記憶用メモリ１３３に記憶する（Ｓ２０３）。
【０２５９】
なお、ＲＯＩ画像Ｈｒｉは、手の甲の画像から静脈パターンが集中的に分布する注目領域（ＲＯＩ：Ｒｅｇｉｏｎ  Ｏｆ  Ｉｎｔｅｒｅｓｔ）である。
【０２６０】
次に、静脈パターン特性データ生成部１３５は、ＲＯＩ画像Ｈｒｉの太い大静脈パターンＳＰｉ及び細い細静脈パターンＺＰｉを抽出して合成し、この静脈合成パターンＧｐｉを２値化してノイズ除去した静脈パターンＶＰｉを得て（図１１（ｂ）参照）、一時記憶用メモリ１３３に記憶する（Ｓ２０４）。
【０２６１】
次に、静脈パターン特性データ生成部１３５は、静脈パターンＶＰｉの各分岐点Ｖｉを求め、これらの分岐点を結んだ多角形を生成し、この多角形を静脈パターン特性データＶＰＢＣｉとして（図１１（ｃ）参照）、一時記憶用メモリ１３３に記憶する（Ｓ２０５）。なお、静脈パターン特性データＶＰＢＣｉは、分岐角度、分岐個数、分岐点のピクセル座標を含んでいる。
【０２６２】
次に、位置補正値算出部１３７は一次補正と二次補正とを行う（Ｓ２０６）。
【０２６３】
一次補正は、一時記憶用メモリ１３３に記憶された指甲接続部分境界線情報ＡＮｉと認証サービスセンターＱｉから送信されたセンター側登録済生体特性情報用メモリ１４１のセンター側登録済甲認証用特性情報ＲＨｊｉに含まれている指甲接続部分境界線情報ＡＮｉとを読み込む。位置補正は図２４を用いて説明する。
【０２６４】
そして、図２４（ａ）に示すように、指甲接続部分境界線情報ＡＮｉに含まれている第１の湾曲線パラメータ（薬指と中指）の交点Ｃと、第２の湾曲領域パラメータ（人差し指と中指）の交点Ｃ´を結ぶ第１の直線ｒ１を求めると共に、図２４（ｂ）に示すように指甲接続部分境界線情報ＡＮｉに含まれている第１の登録済湾曲線パラメータの交点Ｃと、第２の登録済湾曲線パラメータの交点Ｃ´を結ぶ第２の直線ｒ２を求める。
【０２６５】
そして、図２５（ｃ）に示すように、この第２の直線ｒ２と第１の直線ｒ１との相対角度を求め、これを第１の補正角度ｍａｉとして一時記憶用メモリ１３３に記憶する。
【０２６６】
そして、図２４（ｄ）に示すようにして二次補正を行う。この二次補正は、端末側甲部取得関連情報ＴＥｊｉに含まれている端末側取得甲認証特性情報ＴＳｊｉの第１の湾曲領域パラメータに含まれている開度θ１と、センター側登録済甲認証用特性情報ＲＨｊｉに含まれている第１の登録済湾曲領域パラメータに含まれている開度θ１´との相対的角度を第２の相対的角度として求める。
【０２６７】
さらに、第２の湾曲領域パラメータに含まれている開度θ２と第２の登録済湾曲領域パラメータに含まれている開度θ２´との相対的角度を第３の相対的角度として求め、この第２の相対角度と第３の相対角度との差を第２の補正角度θｗａとして一時記憶用メモリ１３３に記憶する。
【０２６８】
そして、第１の補正角度ｍａｉで静脈パターンＶＰｉの静脈パターン特性データＶＰＢＣｉを補正して、さらにこれを第２の補正角度θｗａで補正した静脈パターン補正画像（ｍＶＰｉ）を生成して一時記憶用メモリ１３３に記憶する。
【０２６９】
次に、静脈パターンマッチング部１３８がマッチング処理を行う（Ｓ２０７）。
【０２７０】
マッチング処理は、静脈パターンマッチング部１３８が図１２に示すように静脈パターン補正画像（ｍＶＰｉ）の各分岐点（Ｖｐａ、Ｖｐｂ・・・）を求め、これらの分岐点を結んだ多角形を静脈パターン特性データＶＰＢＣｉとして生成し、さらに分岐点同士を重ねるための重み付け係数ＢＰＷＦｉを生成する。
【０２７１】
そして、この多角形の静脈パターン特性データＶＰＢＣｉと、センター側登録済生体特性情報用メモリ１４１に記憶されている静脈パターン特性データＶＰＢＣｉと重み付け係数ＢＰＷＦｉを用いて一致の有無を判定（認証結果Ｍｉ）として認証結果送信部１３９に出力する（Ｓ２０８）。
【０２７２】
認証結果送信部１３９は、静脈パターンマッチング部１３８からの認証結果Ｍｉを液晶モニタ１０１及び携帯型生体認証端末取付台３５に出力する（Ｓ２０９）。
【０２７３】
次に、認証結果送信部１３９は、図２３に示すように、直ちにセンター側登録済生体特性情報用メモリ１４１のセンター側登録済甲認証用特性情報ＲＨｊｉを削除する（Ｓ２１０）。
【０２７４】
次に、認証結果送信部１３９は認証サービスセンターＱｉに対して、一時記憶用メモリ１３３に記憶されている携帯電話機電話番号Ｂｉ、生体認証端末電話番号Ａｉ及び顔画像Ｇａｉを読み込み、図示しないカレンダータイマーの年月日時刻（サービス利用時間Ｓｔｉ）を付加した生体認証結果情報Ｎｊｉ（認証結果Ｍｉ、顔画像Ｇａｉ、生体認証端末電話番号Ａｉ、携帯電話機電話番号Ｂｉ、・・）を送信する（Ｓ２１１）。
【０２７５】
次に、図１９のシーケンス図に戻って説明する。
【０２７６】
図１９に示すように、認証結果送信部１３９は、生体認証結果情報Ｎｊｉに含まれている認証判定情報ＮＨｊｉ（携帯電話機電話番号Ｂｉ、生体認証端末電話番号Ａｉ、サービス利用時間Ｓｔｉ、認証結果Ｍｉ）を携帯型生体認証端末取付台３５に出力する（ｄ２８）。
【０２７７】
携帯型生体認証端末取付台３５の本人通知部１８は、生体認証結果情報Ｎｊｉに含まれている認証判定情報ＮＨｊｉの認証結果Ｍｉが利用許可を示している場合は、取付台用液晶モニタ３５ｅに「本人です」と表示する（ｄ２９）。
【０２７８】
そして、店員確認情報通知部１６が二次元バーコードリーダ１５及びカードリーダ１０を起動する（ｄ２９ａ、ｄ２９ｂ、ｄ２９ｃ）。
【０２７９】
一方、認証サービスセンターＱｉのサーバ２００の生体認証結果受信部２３０は、生体認証端末１００から甲部静脈パターンの生体認証結果情報Ｎｊｉ（認証結果Ｍｉ、顔画像Ｇａｉ、生体認証端末電話番号Ａｉ、携帯電話機電話番号Ｂｉ、・・）を受信した場合は、この生体認証結果情報Ｎｊｉに含まれている顔画像Ｇａｉを顔画像用メモリ２４２に記憶（顔画像登録番号Ｈｕｉ付き）する（ｄ２７）。
【０２８０】
このとき、生体認証結果受信部２３０は生体認証結果情報Ｎｊｉに含まれているサービス利用時間Ｓｔｉ、生体認証端末電話番号Ａｉ、携帯電話機電話番号Ｂｉ等を付加して記憶する。
【０２８１】
また、生体認証結果情報Ｎｊｉに含まれている生体認証端末電話番号Ａｉと認証結果Ｍｉ（ＯＫ）とサービス利用時間Ｓｔｉと生体認証端末電話番号Ａｉとを履歴情報作成部２２０に出力して履歴情報用テーブル２４６に記憶させる。また、顔画像登録番号Ｈｕｉを履歴情報作成部２２０に出力して履歴情報用テーブル２４６に記憶させる（図１６参照）。
【０２８２】
次に、認証サービスセンターＱｉのサーバ２００のカード番号要求情報作成部４４０が生体認証結果受信部２３０からの生体認証結果情報Ｎｊｉ（Ｂｉ、Ｍｉ、Ｇａｉ、Ａｉを含む）の認証結果Ｍｉが利用許可を示している場合に、この認証結果Ｍｉをカード番号要求情報作成部４４０によって、カード番号要求用テーブル４３０に記憶する。
【０２８３】
そして、認証サービスセンターＱｉのサーバ２００のカード番号要求部４００は、図１９に示すように、生体認証結果受信部２３０からの生体認証結果情報Ｎｊｉ（Ｂｉ、Ａｉ、Ｇａｉを含む）の認証結果Ｍｉが利用許可を示している場合に、この生体認証結果情報Ｎｊｉに含まれている携帯電話機電話番号Ｂｉを有するレコードをカード番号要求情報作成部４４０によってカード番号要求用テーブル４３０から引き当てさせる。そして、このレコードのクレジット会社名Ｃｎｉと携帯電話機電話番号Ｂｉと受付番号ＵＢｉとサービス利用時間Ｓｔｉとをカード番号要求情報ＣＹｊｉとしてクレジット会社機構の配信サーバ８０を介して該当のクレジット会社Ｐｉのサーバに送信する（ｄ３０）。これをカード番号要求処理ともいう。
【０２８４】
クレジット会社Ｐｉのサーバは、カード番号要求情報ＣＹｊｉ（Ｃｎｉ、Ｂｉ、ＵＢｉ，Ｓｔｉ）を受信し、このカード番号要求情報ＣＹｊｉに含まれている携帯電話機電話番号を有するカード会員情報ＫＫｊｉをメモリ（図示せず）から検索する（ｄ３１）。そして、このカード会員情報ＫＫｊｉのクレジットカード番号に受信したカード番号要求情報ＣＹｊｉに含まれている携帯電話機電話番号Ｂｉと受付番号ＵＢｉとを付加したクレジットカード番号情報Ｃｊｉをクレジット専用回線網によって認証サービスセンターＱｉのサーバ２００に送信する（ｄ３２）。
【０２８５】
前述のメモリに記憶されているカード会員情報ＫＫｊｉは、携帯電話機電話番号Ｂｉと、クレジットカード番号と、暗証番号と、利用可能金額と、利用可能期間等からなる。
【０２８６】
認証サービスセンターＱｉのサーバ２００のカード番号転送部４１０は、クレジットカード番号情報Ｃｊｉ（カード番号Ｃｋｉ、携帯電話機電話番号Ｂｉ、受付番号ＵＢｉ）を受信し、このクレジットカード番号情報Ｃｊｉのカード番号Ｃｋｉを二次元バーコードデータに変換する（ｄ３５）。
【０２８７】
そして、カード番号転送部４１０はこの携帯電話機電話番号Ｂｉに関連付けられているメールアドレスを会員認証部２０８から出力させて、このメールアドレスと二次元バーコードデータとをメールサーバ４２０に出力する。メールサーバ４２０は、カード番号転送部４１０からの二次元バーコードデータをメールアドレス宛の携帯電話機３０に送信する（ｄ３６）。これをカード番号転送処理ともいう。
【０２８８】
このカード番号要求処理、カード番号転送処理について後述する。
【０２８９】
一方、図１９に示すように、利用者は携帯電話機３０の画面に表示されている二次元バーコードを二次元バーコードリーダ１５にかざす（ｄ４０）。この二次元バーコードを二次元バーコードリーダ１５が読み込み、解読してカードリーダ１０に出力する(ｄ４１)。カードリーダ１０はこの二次元バーコードの解読結果であるカード番号Ｃｋｉをメモリに一時記憶する。
【０２９０】
また、店員は、カードリーダ１０のキーボードを操作して利用金額、支払い回数などを入力する（ｄ４３）。これらは、メモリに一時記憶される。
【０２９１】
そして、利用者は暗証番号入力手段（キーボード端末）を操作してカード決済を受けるための暗証番号を入力する（ｄ４４）。この暗証番号は暗証番号入力手段によってカードリーダ１０に出力される（ｄ４５）。
【０２９２】
次に、カードリーダ１０は、図１９に示すように、利用金額、支払い回数、暗証番号、カード番号Ｃｋｉ、端末コード等をカード決済要求情報ＣＫｊｉとしてクレジット専用回線網を介してクレジット会社Ｐｉに送信する（ｄ４８）。
【０２９３】
一方、クレジット会社Ｐｉのサーバは、カード決済要求情報ＣＫｊｉを受信し、このカード決済要求情報ＣＫｊｉに含まれているカード番号Ｃｋｉを有するカード会員情報ＫＫｊｉを検索し、この検索したカード会員情報ＫＫｊｉに含まれている暗証番号とカード決済要求情報ＣＫｊｉの暗証番号とが一致するかどうか判定する仮カード認証処理を行う（ｄ４９）。
【０２９４】
そして、クレジット会社Ｐｉのサーバは、この一致の有無を知らせる一致有無情報ＫＮｊｉ（ＵＢｉ，Ｂｉ含む）を認証サービスセンターＱｉに送信する（ｄ５２）。
【０２９５】
認証サービスセンターＱｉの店員コード入力促進部４１５は、クレジット会社Ｐｉから暗証番号の一致の有無を知らせる一致有無情報ＫＮｊｉ（Ｂｉ、ｃｋｉ、ＵＢｉ、一致フラグ）が送信されると、一致フラグが含まれているかどうかを判断し、含まれている場合は仮利用許可と判断する。また、一致フラグが含まれていない場合は、利用不可と判断する。そして、この判断結果を仮利用許可判定情報ＫＥｊｉとして携帯型生体認証端末取付台３５にインターネット網２０を介して送信する（ｄ５３）。
【０２９６】
このとき、一致有無情報ＫＮｊｉ（Ｂｉ、ｃｋｉ、ＵＢｉ、利用不可フラグ又は利用許可フラグ）の受付番号ＵＢｉ、携帯電話機電話番号Ｂｉを有する履歴情報用テーブル２４６のレコードに含まれている取付台アドレスを読み込み、このアドレス宛に送信する。
【０２９７】
携帯型生体認証端末取付台３５の本人通知部１８は、認証サービスセンターＱｉからの一致有無情報ＫＮｊｉ（Ｂｉ、ｃｋｉ、ＵＢｉ、利用不可フラグ又は利用許可フラグ）を受信し、利用許可フラグが含まれている場合は、仮認証ＯＫを取付台用液晶モニタ３５ｅに表示し、利用不可フラグの場合は利用不可を表示する（ｄ５５）。
【０２９８】
一方、店員は、取付台用液晶モニタ３５ｅに仮認証ＯＫが表示された場合は、携帯している店員カードＴＧｉの店員コードｔｋｉである一次元バーコード（二次元バーコードでもかまわない）を一次元バーコードリーダ４５で読み取りさせる（ｄ５７）。
【０２９９】
この店員コードｔｋｉを一次元バーコードリーダ４５が携帯型生体認証端末取付台３５に出力する（ｄ５８）。なお、この店員コードｔｋｉは本人通知部１８によって取付台用液晶モニタ３５ｅに表示される。そして、店員は、取付台用液晶モニタ３５ｅの表示を確認して、ファンクションキーの確認キー（例えばＦ６）を押す（ｄ５９）。
【０３００】
この確認に伴って、店員コードｔｋｉと生体認証端末電話番号Ａｉと確認フラグとがメモリ１７に記憶される。
【０３０１】
そして、店員確認情報通知部１６が確認キーの入力に伴ってメモリ１７の店員コードｔｋｉと、生体認証端末電話番号Ａｉと、サービス利用時間Ｓｔｉ（年月日、時刻、曜日）とを店員確認情報ＴＳＣｊｉとして認証サービスセンターＱｉに送信する（ｄ６１）。
【０３０２】
認証サービスセンターＱｉの店員コード入力促進部４１５は、携帯型生体認証端末取付台３５から店員確認情報ＴＳＣｊｉ（店員コードｔｋｉ、認証判定情報ＮＨｊｉ（Ｂｉ、Ａｉ、ＯＫ）、Ｓｔｉ）をインターネット網２０によって受信して、これをクレジット会社Ｐｉに送信すると共に、カード番号要求用テーブル４３０に店員コードを書き込むと共に、この店員確認情報ＴＳＣｊｉをクレジット専用回線網によってクレジット会社Ｐｉに送信する（ｄ６２）。
【０３０３】
クレジット会社Ｐｉのサーバは、店員確認情報ＴＳＣｊｉを受信して、本認証を行い（ｄ６３）、この結果をカードリーダ１０に送信する（ｄ６４）。本認証は、クレジット決済情報ＫＣｊｉに含まれているカード番号に関連付けられている使用期間、利用限度額等を判定する。
【０３０４】
カードリーダ１０は、クレジット会社からの本認証の結果が利用許可を示している場合は、利用金額、年月日、店舗名、支払い回数等を印字した明細書を発行する（ｄ６５）。
【０３０５】
次に、図２０に示すように、認証サービスセンターＱｉのサーバ２００の課金処理部２３２は、カード番号要求用テーブル４３０に一定期間（例えば２０日）が経過したかどうかを判断する（ｄ７２）。
【０３０６】
一定時間経過した場合は、カード番号転送済フラグが書き込まれているレコードを全て読み込んで、利用料金をクレジット会社に請求する（ｄ７３）。
【０３０７】
次に、クレジット会社は、ユーザの口座に料金を所定日に請求する（ｄ７４）。
【０３０８】
（カード番号要求処理、カード番号転送処理の説明）
本説明では、カード番号要求用テーブル４３０には、既に受付番号ＵＢｉ、カード番号受信済フラグ、携帯電話機電話番号Ｂｉ、カード番号要求フラグが書き込まれているとする。また、認証結果Ｍｉは利用許可を示しているとする。
【０３０９】
図２５はカード番号要求処理、カード番号転送処理を説明するフローチャートである。但し、シーケンス図の説明を含めて説明する。
【０３１０】
認証サービスセンターＱｉのサーバ２００のカード番号要求部４００は、カード番号要求用テーブル４３０にカード番号要求フラグｆｙｉが設定されているレコードｆｒｉがあるかどうかを判定する（Ｓ３１）。
【０３１１】
ステップＳ３１において、カード番号要求フラグｆｙｉが設定されているレコードｆｒｉがあると判定したときは、このレコードｆｒｉに認証結果Ｍｉがあるかどうかを判定する（Ｓ３３）。
【０３１２】
ステップＳ３３において、認証結果Ｍｉがあると判断したときは、利用許可（認証ＯＫ）を示しているかどうかを判断する（Ｓ３５）。
【０３１３】
ステップＳ３５において、認証ＯＫと判断した場合は、カード番号要求部４００は、カード番号要求用テーブル４３０のレコードｆｒｉの携帯電話機電話番号Ｂｉとクレジット会社名Ｃｎｉとサービス利用時間Ｓｔｉ等をカード番号要求情報ＣＹｊｉとしてクレジット会社機構の配信サーバ８０を介して該当のクレジット会社に送信する（Ｓ３７）。
【０３１４】
クレジット会社のサーバ（図示せず）は、メモリに会員のクレジット番号と暗証番号と住所情報、口座情報に携帯電話機電話番号Ｂｉ等を関連付けて記憶しており、認証サービスセンターＱｉからカード番号要求情報ＣＹｊｉ（Ｂｉ、ＵＢｉを含む）を受け取った場合に、その携帯電話機電話番号Ｂｉに関連付けられているカード番号にカード番号要求情報ＣＹｊｉの携帯電話機電話番号Ｂｉ、受付番号ＵＢｉを付加したクレジットカード番号情報Ｃｊｉとして認証サービスセンターＱｉに送信する。
【０３１５】
そして、カード番号転送部４１０は、図２５に示すように、クレジット会社からクレジットカード番号情報Ｃｊｉを受信したかどうかを判定する（Ｓ３９）。
【０３１６】
ステップＳ３９において、クレジットカード番号情報Ｃｊｉを受信した場合は、このクレジットカード番号情報Ｃｊｉに含まれているカード番号Ｃｋｉを二次元バーコードデータに変換する（Ｓ４１）。
【０３１７】
そして、この携帯電話機電話番号Ｂｉに関連付けられているメールアドレスを会員認証部２０８から出力させて、このメールアドレスと二次元バーコードデータとをメールサーバ４２０に出力する（Ｓ４３）。このとき、カード番号転送部４１０は、カード番号要求情報作成部４４０にカード番号受信済フラグ情報Ｆｊｉ（携帯電話機電話番号Ｂｉ、受付番号ＵＢｉを含む）を出力する。
【０３１８】
次に、メールサーバ４２０を起動して二次元バーコード化されたカード番号Ｃｋｉを携帯電話機３０に転送する（Ｓ４５）。このとき、例えば２分後に二次元バーコードデータを削除するコマンドを含ませて送信するのが好ましい。
【０３１９】
次に、メールサーバ４２０は、カード番号転送済フラグをカード番号要求情報作成部４４０によってカード番号要求用テーブル４３０に書き込みさせる（Ｓ４７）。
【０３２０】
また、ステップＳ３９でクレジットカード番号情報Ｃｊｉを受信できない場合は、メールサーバ４２０を起動して、カード番号Ｃｋｉを受信できないメッセージを送信させて処理を終了する（Ｓ４９）。
【０３２１】
前述の携帯型生体認証端末取付台３５の処理を以下のフローチャートを用いて説明を補充する。
【０３２２】
図２６は携帯型生体認証端末取付台３５の処理を説明するフローチャートである。
【０３２３】
携帯型生体認証端末取付台３５の本人通知部１８は、認証判定情報ＮＨｊｉ（Ｂｉ、ＯＫ）の受信かどうかを監視する（Ｓ５１）。
【０３２４】
ステップＳ１０において、認証判定情報ＮＨｊｉ（Ｂｉ、ＯＫ）の受信と判断した場合は、認証判定情報ＮＨｊｉに含まれている認証結果ＭｉがＯＫを示しているかどうかを判断する（Ｓ５２）。
【０３２５】
ステップＳ５２において、認証結果がＯＫを示している場合は、これをメモリ１７に一時記憶する（Ｓ５３）。
【０３２６】
そして、取付台用液晶モニタ３５ｅに「本人です」と表示する（Ｓ５４）。
【０３２７】
次に、本人通知部１８は、認証サービスセンターＱｉから仮認証ＯＫを受信したかどうかを判断する（Ｓ５５）。
【０３２８】
ステップＳ５５において、仮認証ＯＫを受信した場合は、取付台用液晶モニタ３５ｅにクレジット会社側が仮認証ＯＫとしたことをメッセージ表示する（Ｓ５６）。これによって、店員は安心して店員側で本人認証したこと知らせるための店員コードを入力できる。
【０３２９】
そして、本人通知部１８は、取付台用液晶モニタ３５ｅに「店員に確認キーを押してください」、「一次元バーコードリーダ４５で店員コードｔｋｉを入力してください」というメッセージを表示する（Ｓ５７）。
【０３３０】
次に、店員コード読取部１４は、一次元バーコードリーダ４５から店員コードｔｋｉが入力したかどうかを判定する（Ｓ５８）。
【０３３１】
次に、ステップＳ１８において、店員コードｔｋｉが入力した場合は、店員コード読取部１４がこの店員コードｔｋｉを取付台用液晶モニタ３５ｅに表示する（Ｓ５９）。
【０３３２】
一方、店員確認情報通知部１６は、店員コードｔｋｉが表示されたことを本人通知部１８から受けて、取付台用キーパッド部３５ｇから確認キーが入力したかどうかを判定する（Ｓ６０）。ステップＳ６０において、確認キーが押されたと判断した場合は、二次元バーコードリーダ、カードリーダ１０を起動させる（Ｓ６１）。
【０３３３】
そして、店員確認情報通知部１６は、二次元バーコードリーダで読み込んだクレジットカード番号情報Ｃｊｉ（カード番号、Ｂｉ、Ａｉ、ＵＢｉを含む）並びにメモリ１７の店員コードｔｋｉ、確認を組み込んだ店員確認情報ＴＳＣｊｉをインターネット網２０によって認証サービスセンターＱｉに送信する（Ｓ６２）。
【０３３４】
また、ステップＳ５５において、認証サービスセンターＱｉから仮認証ＮＧを受信した場合は、利用不可を３５ｅに表示して処理を終える（Ｓ６３）。
【０３３５】
なお、上記実施の形態の認証サービスセンターＱｉで用いるサーバ２００の各部は、各々複数のサーバで分散させたクラウド形システムとしてもかまわない。
【０３３６】
上記の図面と発明の詳細説明は、単に、本発明の例示的なものであり、これは、単に本発明を説明するために使用されるものであり、意味限定や特許請求範囲に記載された、本発明の範囲を制限する意図の下で使用されるものではない。従って、本技術分野の通常の知識をもつ者であれば、これらから多様な変形及び均等な他の実施例が可能である点が理解できるであろう。従って、本発明の真の技術的な保護範囲は、添付された特許請求範囲の技術的発想から断定されるべきであろう。
【符号の説明】
【０３３７】
１０  カードリーダ
１５  二次元バーコードリーダ
２０  インターネット網
３０  携帯電話機
３５  携帯型生体認証端末取付台
４５  一次元バーコードリーダ
７０  生体認証端末付きカード読取装置
８０  クレジット会社の配信サーバ
２００  サーバ
２０５  電話サーバ部
２０７  生体認証情報受信部
２０８  会員認証部
２１０  メッセージ送信部
２１２  回線接続切替部
２１４  生体認証情報送信部
２１６  甲部静脈特性データ検索部
２２０  履歴情報作成部
２３０  生体認証結果受信部
２３２  課金処理部
４００  カード番号要求部
４１０  カード番号転送部
４２０  メールサーバ
【図１】
2014174707.tif 000003
【図２】
2014174707.tif 000004
【図３】
2014174707.tif 000005
【図４】
2014174707.tif 000006
【図５】
2014174707.tif 000007
【図６】
2014174707.tif 000008
【図７】
2014174707.tif 000009
【図８】
2014174707.tif 000010
【図９】
2014174707.tif 000011
【図１２】
2014174707.tif 000012
【図１３】
2014174707.tif 000013
【図１４】
2014174707.tif 000014
【図１５】
2014174707.tif 000015
【図１６】
2014174707.tif 000016
【図１７】
2014174707.tif 000017
【図１８】
2014174707.tif 000018
【図１９】
2014174707.tif 000019
【図２０】
2014174707.tif 000020
【図２１】
2014174707.tif 000021
【図２４】
2014174707.tif 000022
【図２５】
2014174707.tif 000023
【図２６】
2014174707.tif 000024
【図１０】
2014174707.tif 000025
【図１１】
2014174707.tif 000026
【図２２】
2014174707.tif 000027
【図２３】
2014174707.tif 000028